(57)【特許請求の範囲】
【請求項１】
複数の非同期事業者によって共有される第１の無線周波数スペクトル帯域内で１つまたは複数の送信期間について競合するために１つまたは複数のクリアチャネルアセスメント（ＣＣＡ）手順を実施することと、
前記第１の無線周波数スペクトル帯域内で前記１つまたは複数の送信期間についての前記競合に勝つことと、
競合に勝った前記１つまたは複数の送信期間が、しきい値数の連続する送信期間に等しいかまたはそれよりも大きいかどうかを決定することと、
競合に勝った前記１つまたは複数の送信期間が、しきい値数の連続する送信期間に等しいかまたはそれよりも大きいという前記決定に基づいて、ある時間期間の間、前記第１の無線周波数スペクトル帯域の占有を放棄することとを備え、
前記連続する送信期間のしきい値数が、前記１つまたは複数の送信期間中に前記無線周波数スペクトル帯域について競合するためにＣＣＡ手順を実施している非同期事業者の数、あるいは前記複数の非同期事業者のうちの１つにおけるデータバックログの量のうちの１つまたは複数に基づいて決定される、ワイヤレス通信のための方法。
【請求項２】
前記第１の無線周波数スペクトル帯域の占有を放棄することが、前記時間期間の間、ＣＣＡ手順を停止すること、送信を停止すること、または受信を停止することのうちの少なくとも１つを備える、請求項１に記載の方法。
【請求項３】
しきい値数の非同期事業者が前記１つまたは複数の送信期間中に前記第１の無線周波数スペクトル帯域について競合しているかどうかを決定することをさらに備え、
ここにおいて、前記第１の無線周波数スペクトル帯域の占有を放棄する前記時間期間は、前記しきい値数の非同期事業者が前記第１の無線周波数スペクトル帯域について競合しているという前記決定に少なくとも部分的に基づく、請求項１に記載の方法。
【請求項４】
前記しきい値よりも少ない数の非同期事業者が前記１つまたは複数の送信期間中に前記第１の無線周波数スペクトル帯域について競合しているという前記決定に少なくとも部分的に基づいて、前記第１の無線周波数スペクトル帯域の占有の前記放棄を中止することをさらに備える、請求項３に記載の方法。
【請求項５】
前記しきい値数の非同期事業者が前記第１の無線周波数スペクトル帯域について競合しているかどうかを決定することが、
１つまたは複数の他の非同期事業者からの送信について監視することを備える、請求項３に記載の方法。
【請求項６】
前記監視することが、
前記第１の無線周波数スペクトル帯域の占有の前記放棄の前記時間期間中に前記１つまたは複数の他の非同期事業者からの１つまたは複数のＣＣＡ免除送信（ＣＥＴ）信号について監視することを備え、
ここにおいて、前記監視することが、
前記１つまたは複数の他の非同期事業者から前記１つまたは複数のＣＥＴ信号を受信することと、
前記第１の無線周波数スペクトル帯域の占有を放棄することより前に、前記しきい値数の連続する送信期間を調整することをさらに備え、
ここにおいて、前記監視することが、
前記１つまたは複数の他の非同期事業者からの前記１つまたは複数のＣＥＴ信号について監視することと、前記１つまたは複数のＣＥＴ信号からの識別された情報を報告することとを行うようにユーザ機器を構成することをさらに備える、請求項５に記載の方法。
【請求項７】
しきい値数の非同期事業者が前記無線周波数スペクトル帯域について競合しているかどうかを決定することが、
ユーザ機器またはＸ２通信リンクのうちの１つまたは複数を介して前記１つまたは複数の非同期事業者を識別する情報を受信することを備える、請求項３に記載の方法。
【請求項８】
前記複数の非同期事業者のうちの前記１つからの送信について前記第１の無線周波数スペクトル帯域の占有の放棄の前記時間期間中に前記第１の無線周波数スペクトル帯域を監視することと、
前記複数の非同期事業者のうちの前記１つからの前記送信がない場合、前記連続する送信期間のしきい値数を増加させることと、
前記複数の非同期事業者のうちの前記１つからの前記送信が検出されたとき、前記連続する送信期間のしきい値数を減少させることとをさらに備える、請求項１に記載の方法。
【請求項９】
前記１つまたは複数のＣＣＡ手順のうちのＣＣＡ手順が、協調ノードのセットの間で第１の競合期間中に実施され、
ここにおいて、前記しきい値数の連続する送信期間についての競合に勝ったと決定することは、前記しきい値数の連続する送信期間について協調ノードの前記セットのうちの１つまたは複数のノードが競合に勝ったと決定することを備える、請求項１に記載の方法。
【請求項１０】
前記第１の無線周波数スペクトル帯域の占有の前記放棄の前記時間期間中に第２の無線周波数スペクトル帯域を占有することをさらに備える、請求項１に記載の方法。
【請求項１１】
複数の非同期事業者によって共有される無線周波数スペクトル帯域内で１つまたは複数の送信期間について競合するために１つまたは複数のクリアチャネルアセスメント（ＣＣＡ）手順を実施するための手段と、
前記無線周波数スペクトル帯域内で前記１つまたは複数の送信期間についての競合に勝ったことを識別するための手段と、
競合に勝った前記１つまたは複数の送信期間が、しきい値数の連続する送信期間に等しいかまたはそれよりも大きいかどうかを決定するための手段と、
競合に勝った前記１つまたは複数の送信期間が、しきい値数の連続する送信期間に等しいかまたはそれよりも大きいという前記決定に基づいて、ある時間期間の間、前記無線周波数スペクトル帯域の占有を放棄するための手段とを備え、
前記連続する送信期間のしきい値数が、
送信期間中に前記無線周波数スペクトル帯域について競合するためにＣＣＡ手順を実施している非同期事業者の数、または
前記複数の非同期事業者のうちの１つにおけるデータバックログの量のうちの１つまたは複数に基づいて決定される、ワイヤレス通信のための装置。
【請求項１２】
しきい値数の非同期事業者が前記送信期間のうちの１つまたは複数中に前記無線周波数スペクトル帯域について競合しているかどうかを決定するための手段をさらに備え、
ここにおいて、前記無線周波数スペクトル帯域の占有を放棄する前記時間期間は、しきい値数の非同期事業者が前記無線周波数スペクトル帯域について競合しているという前記決定に少なくとも部分的に基づき、
前記しきい値よりも少ない数の非同期事業者が１つまたは複数の送信期間中に前記無線周波数スペクトル帯域について競合しているという前記決定に少なくとも部分的に基づいて、前記無線周波数スペクトル帯域の占有の前記放棄を中止するための手段をさらに備える、請求項１１に記載の装置。
【請求項１３】
前記複数の非同期事業者のうちの前記１つからの送信について前記無線周波数スペクトル帯域の占有の放棄の前記時間期間中に前記無線周波数スペクトル帯域を監視するための手段と、
前記複数の非同期事業者のうちの前記１つからの送信がない場合、前記連続する送信期間のしきい値数を増加させるための手段と、
前記複数の非同期事業者のうちの１つからの送信が検出されたとき、前記連続する送信期間のしきい値数を減少させるための手段とをさらに備える、請求項１１に記載の装置。
【請求項１４】
プロセッサによって実行されるとき請求項１乃至７のうちのいずれかに記載の方法を実行することをワイヤレス通信装置に行わせるように前記プロセッサによって実行可能な命令を備える、コンピュータプログラム。
【発明の詳細な説明】
【技術分野】
【０００１】
相互参照
[0001]  本特許出願は、それらの各々が本出願の譲受人に譲渡された、２０１４年７月１６日に出願された、「Ｔｅｃｈｎｉｑｕｅｓ  ｆｏｒ  Ｃｈａｎｎｅｌ  Ａｃｃｅｓｓ  ｉｎ  Ａｓｙｎｃｈｒｏｎｏｕｓ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ  Ｄｅｐｌｏｙｍｅｎｔｓ」と題する、Ｂｈｕｓｈａｎらによる米国特許出願第１４／３３２，６３３号、および２０１３年１０月２３日に出願された、「Ｔｅｃｈｎｉｑｕｅｓ  ｆｏｒ  Ｃｈａｎｎｅｌ  Ａｃｃｅｓｓ  ｉｎ  Ａｓｙｎｃｈｒｏｎｏｕｓ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ  Ｄｅｐｌｏｙｍｅｎｔｓ」と題する、Ｂｈｕｓｈａｎらによる米国仮特許出願第６１／８９４，７９２号の優先権を主張する。
【０００２】
[0002]  以下は、たとえば、ワイヤレス通信に関し、より詳細には、非同期無認可無線周波数スペクトル帯域展開（asynchronous unlicensed radio frequency spectrum band deployment）におけるクリアチャネルアセスメント（clear channel assessment）のための技法に関する。
【背景技術】
【０００３】
[0003]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]  ワイヤレス通信ネットワークはいくつかのアクセスポイントを含み得る。セルラーネットワークのアクセスポイントは、ノードＢ（ＮＢ）または発展型ノードＢ（ｅＮＢ）など、いくつかの基地局を含み得る。ワイヤレスローカルエリアネットワーク（ＷＬＡＮ）のアクセスポイントは、Ｗｉ−Ｆｉ（登録商標）ノードなど、いくつかのＷＬＡＮアクセスポイントを含み得る。各アクセスポイントは、いくつかのユーザ機器（ＵＥ）のための通信をサポートし得、しばしば、同時に複数のＵＥと通信し得る。同様に、各ＵＥは、いくつかのアクセスポイントと通信し得、時々、複数のアクセスポイントおよび／または異なるアクセス技術を採用するアクセスポイントと通信し得る。アクセスポイントは、ダウンリンクおよびアップリンクを介してＵＥと通信し得る。ダウンリンク（または順方向リンク）はアクセスポイントからＵＥへの通信リンクを指し、アップリンク（または逆方向リンク）はＵＥからアクセスポイントへの通信リンクを指す。
【０００５】
[0005]  セルラーネットワークがより重度に利用されるようになるにつれて、事業者（operators）は容量を増加させる方法を求めている。１つの手法は、セルラーネットワークのトラフィックおよび／またはシグナリングの一部をオフロード（offload）するためのＷＬＡＮの使用を含み得る。認可スペクトル（licensed spectrum）において動作するセルラーネットワークとは異なり、Ｗｉ−Ｆｉネットワークは、無認可無線周波数スペクトル帯域（unlicensed radio frequency spectrum band）において動作し、したがって、スペクトルへの公平なアクセスを提供するための確立されたルールに従う様々なエンティティによる使用のために利用可能であり得るので、（Ｗｉ−Ｆｉネットワークなどの）ＷＬＡＮは、魅力的な特徴を提供し得る。いくつかの展開では、様々な事業者は、無認可無線周波数スペクトル帯域にアクセスするために同期的に動作する１つまたは複数のノードを使用して無認可無線周波数スペクトル帯域にアクセスすることを望み得る。しかしながら、異なる事業者の同期ノードの異なる展開がチャネル競合（channel contention）について期間を時間整合していない場合、１つまたは複数の事業者は、比較的長い時間期間の間、無認可無線周波数スペクトル帯域にアクセスすることが不可能なことがある。したがって、ある事業者展開内のノードが同期的（synchronously）に動作し得る間、１つの事業者のノードは、他の事業者展開のノードに対して非同期（asynchronous）であり得る。したがって、事業者は、無認可無線周波数スペクトル帯域にアクセスするために同じまたは異なる技法を使用する、同じまたは異なる事業者展開のノードが、スペクトルアクセスのための確立されたルールにも準拠しながら、無認可無線周波数スペクトル帯域を公平におよび効果的に使用することができることを保証する技法を採用する必要があり得る。
【発明の概要】
【０００６】
[0006]  説明される特徴は、ワイヤレス通信のための１つまたは複数の改善されたシステム、方法、および／またはデバイスに関し、より詳細には、無認可無線周波数スペクトル帯域を使用する通信における公平性および効率を向上させ得る競合ベースのチャネルアクセス手順（contention-based channel access procedure）に関する。例では、いくつかの非同期事業者（asynchronous operator）によって共有される無線周波数スペクトル帯域にアクセスしようとしている事業者のデバイスは、デバイスが無線周波数スペクトル帯域を使用して送信し得る１つまたは複数の送信期間（transmission period）について競合するために１つまたは複数のクリアチャネルアセスメント（ＣＣＡ：clear channel assessment）手順を実施し得る。１つまたは複数の送信期間についての競合に勝ったとき、競合に勝った送信期間の数（the number of transmission periods）が、連続する送信期間のしきい値数（a threshold number of consecutive transmission periods）に等しいかまたはそれよりも大きいかどうかに関する決定が行われ得る。競合に勝った送信期間の数が、連続する送信期間のしきい値数に等しいかまたはそれよりも大きい場合、別の事業者が無線周波数スペクトル帯域にアクセスすることを可能にするために、ある時間期間の間、無線周波数スペクトル帯域の占有が放棄され得る。無線周波数スペクトル帯域の放棄は、たとえば、ある時間期間の間、無線周波数スペクトル帯域上での競合または送信／受信を停止することによって達成され得る。
【０００７】
[0007]  例示的な例の第１のセットによれば、ワイヤレス通信の方法は、複数の非同期事業者によって共有される無線周波数スペクトル帯域内で１つまたは複数の送信期間について競合するために１つまたは複数のクリアチャネルアセスメント（ＣＣＡ）手順を実施することと、無線周波数スペクトル帯域内で１つまたは複数の送信期間についての競合に勝つことと、競合に勝った１つまたは複数の送信期間が、しきい値数の連続する送信期間に等しいかまたはそれよりも大きいかどうかを決定することと、競合に勝った１つまたは複数の送信期間が、しきい値数の連続する送信期間に等しいかまたはそれよりも大きいかどうかの決定に基づいて、ある時間期間の間、無線周波数スペクトル帯域の占有を放棄することとを含み得る。いくつかの例では、無線周波数スペクトル帯域の占有を放棄することは、その時間期間の間、競合または送信／受信を停止することを含み得る。
【０００８】
[0008]  いくつかの例では、本方法はまた、しきい値数の非同期事業者が１つまたは複数の送信期間中に第１の無線周波数スペクトル帯域について競合していると決定することと、しきい値数の非同期事業者が第１の無線周波数スペクトル帯域について競合しているという決定に少なくとも部分的に基づいて、第１の無線周波数スペクトル帯域の占有を放棄することとを含み得る。しきい値数の非同期事業者は、たとえば、１つの非同期事業者であり得る。いくつかの例では、本方法はまた、しきい値よりも少ない数の非同期事業者が１つまたは複数の送信期間中に第１の無線周波数スペクトル帯域について競合していると決定されたとき、第１の無線周波数スペクトル帯域の占有を放棄するのを中止することを含み得る。
【０００９】
[0009]  いくつかの例では、しきい値数の非同期事業者が第１の無線周波数スペクトル帯域について競合していると決定することは、１つまたは複数の他の非同期事業者からの送信について監視することを含み得る。そのような監視は、たとえば、ある時間期間の間、第１の無線周波数スペクトル帯域上での送信を中止すること、１つまたは複数の他の非同期事業者からの１つまたは複数のＣＣＡ免除送信（ＣＥＴ：CCA exempt transmission）信号について監視すること、および１つまたは複数の他の非同期事業者からＣＥＴ信号を受信することを含み得る。送信期間のしきい値数は、いくつかの例では、監視することに基づいて、第１の無線周波数スペクトル帯域の占有を放棄することより前に調整され得る。いくつかの例では、監視することは、１つまたは複数の他の非同期事業者からＣＥＴ信号を受信することと、１つまたは複数の他の非同期事業者からのＣＥＴ信号について監視し、ＣＥＴ信号からの識別された情報を報告するようにユーザ機器を構成することとをさらに含み得る。いくつかの例では、１つまたは複数の非同期事業者を識別する情報が、ユーザ機器またはＸ２通信リンクのうちの１つまたは複数を介して受信され得る。
【００１０】
[0010]  いくつかの例では、連続する送信期間のしきい値数は、１つまたは複数の送信期間中に第１の無線周波数スペクトル帯域について競合するためにＣＣＡ手順を実施している非同期事業者の数、あるいは１つまたは複数の非同期事業者におけるデータバックログの量のうちの１つまたは複数に基づいて決定され得る。しきい値数の送信期間は、たとえば、１つの送信期間であり得る。いくつかの例では、第１の無線周波数スペクトル帯域は、１つまたは複数の他のノードからの送信について時間期間に対応する送信期間中に監視され得る。１つまたは複数の送信が１つまたは複数の他のノードから受信されるという決定が行われ得る。いくつかの例によれば、しきい値数の連続する送信期間は、１つまたは複数の他のノードからの送信がないことがあり、１つまたは複数の他のノードからの１つまたは複数の送信が検出されたとき、しきい値数の連続する送信期間は減少され得る。他の例では、１つまたは複数のＣＣＡ手順のうちのＣＣＡ手順が、協調ノードのセットの間で第１の競合期間（contention period）中に実施され得、しきい値数の連続する送信期間についての競合に勝ったと決定することは、しきい値数の連続する送信期間について協調ノードのセットのうちの１つまたは複数のノードが競合に勝ったと決定することを含み得る。他の例では、本方法は、第１の無線周波数スペクトル帯域の占有の放棄の時間期間中に第２の無線周波数スペクトル帯域を占有することをさらに含み得る。
【００１１】
[0011]  例示的な例の別のセットによれば、ワイヤレス通信のための装置は、いくつかの非同期事業者によって共有される第１の無線周波数スペクトル帯域内で１つまたは複数の送信期間について競合するために１つまたは複数のクリアチャネルアセスメント（ＣＣＡ）手順を実施するための手段と、第１の無線周波数スペクトル帯域内で１つまたは複数の送信期間についての競合に勝つと識別するための手段と、競合に勝った１つまたは複数の送信期間が、しきい値数の連続する送信期間に等しいかまたはそれよりも大きいかどうかを決定するための手段と、競合に勝った１つまたは複数の送信期間が、しきい値数の連続する送信期間に等しいかまたはそれよりも大きいかどうかの決定に基づいて、ある時間期間の間、第１の無線周波数スペクトル帯域の占有を放棄するための手段とを含み得る。
【００１２】
[0012]  いくつかの例では、本装置は、上記で説明した例示的な例の第１のセットの１つまたは複数の態様を実装するための手段を含み得る。
【００１３】
[0013]  例示的な例の別のセットによれば、ワイヤレス通信のための装置は、少なくとも１つのプロセッサと、少なくとも１つのプロセッサと通信可能に結合されたメモリとを含み得る。少なくとも１つのプロセッサは、いくつかの非同期事業者によって共有される第１の無線周波数スペクトル帯域内で１つまたは複数の送信期間について競合するために１つまたは複数のクリアチャネルアセスメント（ＣＣＡ）手順を実施することと、第１の無線周波数スペクトル帯域内で１つまたは複数の送信期間についての競合に勝つと識別することと、競合に勝った１つまたは複数の送信期間が、しきい値数の連続する送信期間に等しいかまたはそれよりも大きいかどうかを決定することと、競合に勝った１つまたは複数の送信期間が、しきい値数の連続する送信期間に等しいかまたはそれよりも大きいかどうかの決定に基づいて、ある時間期間の間、第１の無線周波数スペクトル帯域の占有を放棄することとを行うためにメモリに記憶されたコードを実行するように構成され得る。
【００１４】
[0014]  いくつかの例では、少なくとも１つのプロセッサは、上記で説明した例示的な例の第１のセットの１つまたは複数の態様を実装するためにメモリに記憶されたコードを実行するように構成され得る。
【００１５】
[0015]  例示的な例の別のセットによれば、コンピュータプログラム製品は、コンピュータ可読コードを有する非一時的コンピュータ可読媒体を含み得る。コンピュータ可読コードは、いくつかの非同期事業者によって共有される第１の無線周波数スペクトル帯域内で１つまたは複数の送信期間について競合するために１つまたは複数のクリアチャネルアセスメント（ＣＣＡ）手順を実施することと、第１の無線周波数スペクトル帯域内で１つまたは複数の送信期間についての競合に勝つと識別することと、競合に勝った１つまたは複数の送信期間が、しきい値数の連続する送信期間に等しいかまたはそれよりも大きいかどうかを決定することと、競合に勝った１つまたは複数の送信期間が、しきい値数の連続する送信期間に等しいかまたはそれよりも大きいかどうかの決定に基づいて、ある時間期間の間、第１の無線周波数スペクトル帯域の占有を放棄することとをワイヤレス通信装置に行わせることを少なくとも１つのプロセッサに行わせるように構成され得る。
【００１６】
[0016]  いくつかの例では、コンピュータ可読コードは、上記で説明した例示的な例の第１のセットの１つまたは複数の態様を少なくとも１つのプロセッサに実装させるように構成され得る。
【００１７】
[0017]  説明される方法および装置の適用可能性のさらなる範囲は、以下の発明を実施するための形態、特許請求の範囲、および図面から明らかになろう。発明を実施するための形態の趣旨および範囲内の様々な変更および改変が当業者には明らかになるので、発明を実施するための形態および特定の例は、例示として与えられるものにすぎない。
【００１８】
[0018]  本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、説明は、第２の参照ラベルにかかわらず、同じ第１の参照ラベルを有する同様の構成要素のいずれか１つに適用可能である。
【図面の簡単な説明】
【００１９】
【図１】[0019]  本開示の態様による、電気通信システムの一例を概念的に示すブロック図。
【図２】[0020]  本開示の態様による、無認可無線周波数スペクトル帯域においてＬＴＥ（登録商標）を使用するための展開シナリオの例を概念的に示すブロック図。
【図３】[0021]  本開示の態様による、隣接する基地局および関連するＵＥの一例を概念的に示すブロック図。
【図４Ａ】[0022]  本開示の態様による、キャリアアグリゲーションモードまたはスタンドアロンモードにおける協調競合ベースの無線周波数スペクトル帯域アクセスのための無線フレームおよび関連するサブフレーム、ならびにダウンリンクＣＣＡ間隔の一例を概念的に示すブロック図。
【図４Ｂ】[0023]  本開示の態様による、キャリアアグリゲーションモード（carrier aggregation mode）またはスタンドアロンモードにおける協調競合ベースの無線周波数スペクトル帯域アクセスのための無線フレームおよび関連するサブフレーム、ならびにアップリンクＣＣＡ間隔の一例を概念的に示すブロック図。
【図５】[0024]  本開示の態様による、補助ダウンリンクモード（supplemental downlink mode）における競合ベースの無線周波数スペクトル帯域アクセスのための無線フレームおよび関連するサブフレーム、ならびにダウンリンクＣＣＡ間隔の一例を概念的に示すブロック図。
【図６】[0025]  本開示の態様による、競合ベースの無線周波数スペクトル帯域展開における異なるｅＮＢの非同期無線フレームを概念的に示すブロック図。
【図７】[0026]  本開示の態様による、競合ベースの無線周波数スペクトル帯域展開における３つの異なるｅＮＢの非同期無線フレームを概念的に示すブロック図。
【図８】[0027]  本開示の態様による、第１のｅＮＢが競合ベースの無線周波数スペクトル帯域展開において連続する無線フレームのためのチャネルアクセスを保持し得る、３つの異なるｅＮＢの非同期無線フレームを概念的に示すブロック図。
【図９】[0028]  本開示の態様による、第１のｅＮＢが、競合ベースの無線周波数スペクトル帯域展開（contention-based radio frequency spectrum band deployment）において競合に勝ったしきい値数の連続する無線フレームに続いて送信を停止し得る、３つの異なるｅＮＢの非同期無線フレームを概念的に示すブロック図。
【図１０】[0029]  本開示の態様による、第２のｅＮＢが、競合ベースの無線周波数スペクトル帯域展開（contention-based radio frequency spectrum band deployment）において競合に勝ったしきい値数の連続する無線フレームに続いて送信を停止し得る、３つの異なるｅＮＢの非同期無線フレームを概念的に示すブロック図。
【図１１】[0030]  本開示の態様による、ｅＮＢが、適応的に決定されたオン持続時間（on duration）に続いて他のアクセスポイントの送信についてアクティブにリッスン（listen）し得る、無線フレームを概念的に示すブロック図。
【図１２Ａ】[0031]  本開示の態様による、ワイヤレス通信において使用するｅＮＢまたはＵＥなどのデバイスを概念的に示すブロック図。
【図１２Ｂ】本開示の態様による、ワイヤレス通信において使用するｅＮＢまたはＵＥなどのデバイスを概念的に示すブロック図。
【図１３】[0032]  本開示の態様による、基地局の設計を概念的に示すブロック図。
【図１４】[0033]  本開示の態様による、ＵＥの設計を概念的に示すブロック図。
【図１５】[0034]  本開示の態様による、ＵＥおよび基地局の一例を概念的に示すブロック図。
【図１６】[0035]  本開示の態様による、ワイヤレス通信の方法の一例を概念的に示すフローチャート。
【図１７】[0036]  本開示の態様による、ワイヤレス通信の方法の一例を概念的に示すフローチャート。
【図１８】[0037]  本開示の態様による、ワイヤレス通信の方法の一例を概念的に示すフローチャート。
【図１９】[0038]  本開示の態様による、ワイヤレス通信の方法の一例を概念的に示すフローチャート。
【発明を実施するための形態】
【００２０】
[0039]  セルラーネットワークにおけるデータトラフィックの増加とともに、少なくとも一部のデータトラフィックを無認可無線周波数スペクトル帯域にオフロードすることは、拡張されたデータ伝送容量の機会をセルラー事業者に提供し得る。チャネルアクセスを獲得（gain）し、無認可無線周波数スペクトル帯域を使用して送信するより前に、送信デバイスは、いくつかの展開では、チャネルアクセスを獲得するためにリッスンビフォアトーク（ＬＢＴ：listen before talk）手順を実施し得る。そのようなＬＢＴ手順は、特定のチャネルが利用可能であるかどうかを決定するためのクリアチャネルアセスメント（ＣＣＡ）を含み得る。キャリアが利用可能でないと決定された場合、ＣＣＡは再び後で実施され得る。さらに、無認可無線周波数スペクトル帯域の使用は、無認可無線周波数スペクトル帯域にアクセスするために同じまたは異なる技法を使用する、同じまたは異なる事業者展開のノードが、無認可無線周波数スペクトル帯域内に共存し得ることを保証するための協調を必要とし得る。
【００２１】
[0040]  場合によっては、共存は、無認可無線周波数スペクトル帯域にアクセスすることを希望する異なる事業者展開の異なるデバイスまたはノードによって実施されるＣＣＡの協調によって可能にされ得る。ＣＣＡ協調方法のいくつかでは、ＣＣＡは、無認可無線周波数スペクトル帯域にアクセスすることを望み得る複数のデバイスまたはノードの間で所定の時間期間中に行われるように協調され得る。たとえば、複数の協調ノードが無認可無線周波数スペクトル帯域におけるダウンリンクチャネルアクセスについてＣＣＡを実施し得る時間期間が識別され得る。そのような協調は、ノードまたはデバイスがアクセスを求め、同期方式で無線周波数信号を送信する同期システムを生じる。
【００２２】
[0041]  そのような時間同期は、単一の事業者展開内で保証され得るが、それは、同じチャネルまたは無線周波数スペクトル帯域上で無認可無線周波数スペクトル帯域サービスを展開する異なる事業者間では保証されることも、保証されないこともあり、異なるアクセスポイント（たとえば、無認可無線周波数スペクトル帯域を使用して送信／受信するように構成されたｅＮＢ）は非同期タイミングを有する場合があり得る。そのような場合、上記で説明したＬＢＴプロトコルは、非同期展開において著しい非効率性につながり得る。より詳細には、協調アクセスポイントの第１のセットが協調アクセスポイントの他のセットよりも早くフレーム中でＣＣＡ手順を実施する場合、協調アクセスポイントのこの第１のセットは、比較的大きい数の連続する無線フレーム中で送信していることがあり、それにより、協調アクセスポイントの他のセットによって複数の連続する不成功の無線周波数スペクトル帯域競合（multiple consecutive unsuccessful radio frequency spectrum band contentions）が生じる。本明細書で説明される様々な例によれば、これらの問題を解決し、非同期タイミング展開について異なるノードおよび事業者の間でさらなる公平性を提供し得るＣＣＡ技法が提供される。
【００２３】
[0042]  本開示の様々な態様によれば、いくつかの非同期事業者によって共有される無線周波数スペクトル帯域にアクセスしようとしている事業者のデバイスは、デバイスが無線周波数スペクトル帯域を占有し得る１つまたは複数の送信期間について競合するために１つまたは複数のＣＣＡ手順を実施し得る。１つまたは複数の送信期間についての競合に勝ったとき、競合に勝ったその送信期間の数が、連続する送信期間のしきい値数（threshold number of consecutive transmission periods）に等しいかまたはそれよりも大きいかどうかに関する決定が行われ得る。競合に勝ったその送信期間の数が、連続する送信期間のしきい値数に等しいかまたはそれよりも大きい場合、別の事業者が無線周波数スペクトル帯域にアクセスすることを可能にするために、ある時間期間の間、無線周波数スペクトル帯域の占有が放棄され得る。無線周波数スペクトル帯域の放棄は、たとえば、ある時間期間の間、無線周波数スペクトル帯域上での競合手順および／または送信／受信を停止することによって達成され得る。
【００２４】
[0043]  本明細書で説明される技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上述のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００２５】
[0044]  したがって、以下の説明は、例を与えるものであり、特許請求の範囲に記載される範囲、適用可能性、または構成を限定するものではない。本開示の趣旨および範囲から逸脱することなく、論じられる要素の機能および構成において変更が行われ得る。様々な例は、適宜に様々な手順または構成要素を省略、置換、または追加し得る。たとえば、説明される方法は、説明されるのとは異なる順序で実施され得、様々なステップが追加、省略、または組み合わされ得る。また、いくつかの例に関して説明される特徴は、他の例において組み合わされ得る。
【００２６】
[0045]  本明細書および添付の特許請求の範囲において使用される「ワイヤレスワイドエリアネットワーク」または「ＷＷＡＮ」という用語は、セルラーワイヤレスネットワークを指す。ＷＷＡＮの例としては、たとえば、ＬＴＥネットワーク、ＵＭＴＳネットワーク、ＣＤＭＡ２０００ネットワーク、ＧＳＭ／ＥＤＧＥネットワーク、１ｘ／ＥＶ−ＤＯネットワークなどがある。いくつかの例では、ＷＷＡＮは「無線アクセスネットワーク」と呼ばれることがある。
【００２７】
[0046]  本明細書および添付の特許請求の範囲において使用される「ワイヤレスローカルエリアネットワーク」または「ＷＬＡＮ」という用語は、非セルラーワイヤレスネットワークを指す。ＷＬＡＮの例としては、たとえば、無認可無線周波数スペクトル帯域へのアクセスのための確立されたルールに従って５ＧＨｚ帯域中の無認可無線周波数スペクトル帯域を使用して送信し得るＩＥＥＥ８０２．１１（「Ｗｉ−Ｆｉ」）規格ファミリーに準拠するワイヤレスネットワークがある。
【００２８】
[0047]  最初に図１を参照すると、図は、本開示の態様によるワイヤレス通信システム１００の一例を示す。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５は、バックホールリンク（backhaul link）１３２を介してコアネットワーク１３０と制御情報および／またはユーザデータを通信し得る。例では、アクセスポイント１０５は、ワイヤードまたはワイヤレス通信リンクであり得るバックホールリンク１３４を介して互いに直接あるいは間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２９】
[0048]  アクセスポイント（access point）１０５は、１つまたは複数のアクセスポイントアンテナを介してＵＥ１１５とワイヤレス通信し得る。アクセスポイント１０５サイトの各々は、それぞれのカバレージエリア１１０に通信カバレージを提供し得る。いくつかの例では、アクセスポイント１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術など、異なる無線技術を利用し得る。アクセスポイント１０５は、同じまたは異なるアクセスネットワークまたは事業者展開に関連付けられ得る。同じまたは異なるタイプのアクセスポイント１０５のカバレージエリアを含み、同じまたは異なる無線技術を利用し、ならびに／あるいは同じまたは異なるアクセスネットワークに属する、異なるアクセスポイント１０５のカバレージエリアは重複し得る。
【００３０】
[0049]  例では、ワイヤレス通信システム１００は、１つまたは複数の動作モードまたは展開シナリオをサポートし、アクセスポイント１０５およびＵＥ１１５の間で協調競合ベースのチャネルアクセス手順を採用し得、１つまたは複数の非同期アクセスポイントの存在下で継続的チャネル利用可能性の決定のためにＤＴＸ期間を採用し得る、ＬＴＥ／ＬＴＥ−Ａ通信システム（またはネットワーク）である。そのような協調は、いくつかの例によれば、ＣＣＡ協調マネージャ１４０によって管理され得る。例では、ワイヤレス通信システム１００は、無認可無線周波数スペクトル帯域、または認可スペクトル、およびＬＴＥ／ＬＴＥ−Ａとは異なるアクセス技術を使用してワイヤレス通信をサポートし得る。ＬＴＥ／ＬＴＥ−Ａネットワーク通信システムでは、アクセスポイント１０５を記述するために発展型ノードＢ（ｅノードＢ）という用語が使用され得る。ワイヤレス通信システム１００は、異なるタイプのアクセスポイントが様々な地理的領域にカバレージを与える、異種ＬＴＥ／ＬＴＥ−Ａネットワークであり得る。たとえば、各アクセスポイント１０５は、マクロセル、ピコセル、フェムトセル、および／または他のタイプのセルに通信カバレージを与え得る。ピコセル、フェムトセル、および／または他のタイプのセルなどのスモールセルは低電力ノード（low power node）つまりＬＰＮを含み得る。マクロセルは、比較的大きい地理的エリア（たとえば、半径数キロメートル）をカバーし得、ネットワークプロバイダのサービスに加入しているＵＥ１１５による無制限アクセスを可能にし得る。ピコセルは、比較的小さい地理的エリアをカバーし得、ネットワークプロバイダのサービスに加入しているＵＥ１１５による無制限アクセスを可能にし得る。また、フェムトセルは、比較的小さい地理的エリア（たとえば、自宅）をカバーし得、無制限アクセスに加えて、フェムトセルとの関連付けを有するＵＥ１１５（たとえば、限定加入者グループ（ＣＳＧ：closed subscriber group）中のＵＥ、自宅内のユーザのためのＵＥなど）による制限付きアクセスも与え得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（たとえば、２つ、３つ、４つなどの）セルをサポートし得る。
【００３１】
[0050]  コアネットワーク１３０は、バックホールリンク１３２（たとえば、Ｓ１インターフェースなど）を介してｅノードＢまたは他のアクセスポイント１０５と通信し得る。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通して）直接または間接的に、互いと通信し得る。ワイヤレス通信システム１００は同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明される技法は、同期動作または非同期動作のいずれかのために使用され得る。
【００３２】
[0051]  ＵＥ１１５はワイヤレス通信システム１００全体にわたって分散され、各ＵＥ１１５は固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。ＵＥ１１５はまた、セルラーもしくは他のＷＷＡＮアクセスネットワーク、またはＷＬＡＮアクセスネットワークなど、異なるアクセスネットワーク上で通信することが可能であり得る。
【００３３】
[0052]  ワイヤレス通信システム１００に示された通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可スペクトル（たとえば、ＬＴＥ）、無認可無線周波数スペクトル帯域、または両方を使用して行われ得る。同様に、アップリンク送信は、認可スペクトル（たとえば、ＬＴＥ）、無認可無線周波数スペクトル帯域、または両方を使用して行われ得る。
【００３４】
[0053]  ワイヤレス通信システム１００のいくつかの例では、様々な展開シナリオは、認可スペクトル中のＬＴＥダウンリンク容量が無認可無線周波数スペクトル帯域にオフロードされ得る補助ダウンリンクモードと、ＬＴＥダウンリンク容量とＬＴＥアップリンク容量の両方が認可スペクトルから無認可無線周波数スペクトル帯域にオフロードされ得るキャリアアグリゲーションモードと、基地局（たとえば、ｅＮＢ）とＵＥとの間のＬＴＥダウンリンク通信およびＬＴＥアップリンク通信が無認可無線周波数スペクトル帯域中で行われ得るスタンドアロンモードとを含んでサポートされ得る。異なるモードの各々は、周波数分割複信（ＦＤＤ）または時分割複信（ＴＤＤ）に従って動作し得る。ＯＦＤＭＡ通信信号は、無認可および／または認可スペクトルにおけるＬＴＥダウンリンク送信のために通信リンク１２５中で使用され得、一方、ＳＣ−ＦＤＭＡ通信信号は、無認可および／または認可スペクトルにおけるＬＴＥアップリンク送信のために通信リンク１２５中で使用され得る。無認可無線周波数スペクトル帯域を使用する送信は、周波数帯域において１つまたは複数のキャリア周波数を使用して搬送され得る。周波数帯域は、たとえば、複数のキャリア周波数に分割され得、各キャリア周波数は、同じ帯域幅または異なる帯域幅を有し得る。たとえば、各キャリア周波数は、５ＧＨｚ周波数帯域のうちの２０ＭＨｚを占有し得る。
【００３５】
[0054]  多くの展開では、上述のように、無認可無線周波数スペクトル帯域を使用して送信することを求めるデバイスは、無認可無線周波数スペクトル帯域がそのような送信における使用のために利用可能であること、すなわち、無認可無線周波数スペクトル帯域が１つまたは複数の他のデバイスによってすでに使用中でないことを検証する必要があり得る。したがって、無認可無線周波数スペクトル帯域を使用して送信するより前に、デバイスは、チャネルアクセスを獲得するために、リッスンビフォアトーク（ＬＢＴ）手順とも呼ばれる競合ベースのチャネルアクセス手順を実施し得る。たとえば、ＣＣＡは、無認可無線周波数スペクトル帯域の利用可能性を決定するために使用され得る。ＣＣＡの実施は、送信を開始するより前に所望のスペクトルが別様に占有されていないことを検査することを伴い得る。いくつかの例では、ＣＣＡ機会は、事業者の複数のアクセスポイント１０５にわたって協調され得、１０ｍｓごとになど、周期的間隔で発生し得る。アクセスポイント１０５などの送信エンティティは、チャネルアクセスを望み、無認可無線周波数スペクトル帯域中の特定のキャリア周波数が占有されているかどうかを決定するためにＣＣＡを実施し得る。無認可無線周波数スペクトル帯域中の特定のキャリア周波数が占有されている場合、アクセスポイント１０５は、関連するキャリア周波数上でチャネルアクセスを再び取得することを試みる前に次のＣＣＡ機会まで待つ。たとえば、１０ｍｓごとに１回ＣＣＡ機会を提供する展開では、アクセスポイント１０５は、チャネルアクセスを再び試みる前に１０ｍｓ待たなければならない。同様に、ＵＥ１１５は、無認可無線周波数スペクトル帯域を使用してアクセスポイント１０５にアップリンクデータを送信することを望み、同様にしてＣＣＡを実施し得る。
【００３６】
[0055]  いくつかの例では、上述のように、複数の事業者は、無線周波数スペクトル帯域へのアクセスのために競合ベース手順であらかじめ定義された時間にＣＣＡ手順を実施し得る協調アクセスポイント１０５を提供し得る。第１のＣＣＡ手順中に無線周波数スペクトル帯域チャネルを勝ち取れないアクセスポイント１０５は、次いで、次の協調ＣＣＡ機会のために、定義された時間期間待つ。無線周波数スペクトル帯域チャネルを勝ち取る（win）アクセスポイント１０５は、次いで、無線周波数スペクトル帯域を使用して無線信号を送信し得る。上述されたように、１つまたは複数のアクセスポイント１０５が非同期的に動作し、またあらかじめ定義された時間にＣＣＡ手順を実施する状況では、そのようなアクセスポイント１０５は、比較的長い時間期間の間、チャネルアクセスから排除されることがある。いくつかの例によれば、ＣＣＡ手順において無線周波数スペクトル帯域を勝ち取るアクセスポイント１０５は、無線周波数スペクトル帯域についての競合に、連続するフレームのしきい値数のいくつかだけ勝ったとき、無線周波数スペクトル帯域の占有を放棄し得る。これは、１つまたは複数の非同期アクセスポイント１０５が、無線周波数スペクトル帯域へのアクセスを獲得することを可能にし得る。ワイヤレス通信システム１００などのシステムにおける実装展開シナリオまたは動作モード、ならびにワイヤレス通信システム１００の動作に関係する他の特徴および機能に関するさらなる詳細は、図２〜図１９に関して以下に与えられる。
【００３７】
[0056]  図２は、本開示の態様による、無認可無線周波数スペクトル帯域においてＬＴＥを使用するための展開シナリオの例を概念的に示すブロック図である。ワイヤレス通信システム２００は、無認可無線周波数スペクトル帯域にわたる通信をサポートするＬＴＥネットワーク中のｅＮＢ２０５とＵＥ２１５との間のための、補助ダウンリンクモードと、キャリアアグリゲーションモードと、スタンドアロンモードとの例を示す。ワイヤレス通信システム２００は、図１に関して説明されたワイヤレス通信システム１００の部分の一例であり得る。その上、ｅＮＢ２０５は、図１のアクセスポイント１０５のうちの１つの一例であり得、ＵＥ２１５は、図１に関して説明されたＵＥ１１５の例であり得る。
【００３８】
[0057]  ワイヤレス通信システム２００における補助ダウンリンク（ＳＤＬ：supplemental downlink）モードの例では、ｅＮＢ２０５は、ダウンリンク２２０を使用してＵＥ２１５にＯＦＤＭＡ通信信号を送信し得る。図２の例では、ダウンリンク２２０は、無認可無線周波数スペクトル帯域中の周波数に関連付けられ得る。ｅＮＢ２０５は、双方向リンク２２５を使用して同じＵＥ２１５にＯＦＤＭＡ通信信号を送信し得、双方向リンク２２５を使用してそのＵＥ２１５からＳＣ−ＦＤＭＡ通信信号を受信し得る。双方向リンク２２５は認可スペクトル中の周波数に関連付けられ得る。無認可無線周波数スペクトル帯域中のダウンリンク２２０および認可スペクトル中の双方向リンク２２５は、同時に動作し得る。ダウンリンク２２０は、ｅＮＢ２０５にダウンリンク容量のオフロードを提供し得る。いくつかの例では、ダウンリンク２２０は、（たとえば、１つのＵＥに宛てられる）ユニキャストサービスのために、または（たとえば、いくつかのＵＥに宛てられる）マルチキャストサービスのために使用され得る。このシナリオは、認可スペクトルを使用し、トラフィックおよび／またはシグナリング輻輳の一部を軽減する必要がある、任意のサービスプロバイダ（たとえば、旧来のモバイルネットワーク事業者（mobile network operator）つまりＭＮＯ）に関して発生し得る。
【００３９】
[0058]  ワイヤレス通信システム２００におけるキャリアアグリゲーション（ＣＡ）モードの一例では、ｅＮＢ２０５は、双方向リンク２３０を使用してＵＥ２１５−ａにＯＦＤＭＡ通信信号を送信し得、双方向リンク２３０を使用して同じＵＥ２１５−ａからＳＣ−ＦＤＭＡ通信信号を受信し得る。図２の例では、無認可無線周波数スペクトル帯域中の周波数に関連付けられ得る双方向リンク２３０。ｅＮＢ２０５はまた、双方向リンク２３５を使用して同じＵＥ２１５−ａにＯＦＤＭＡ通信信号を送信し得、双方向リンク２３５を使用して同じＵＥ２１５−ａからＳＣ−ＦＤＭＡ通信信号を受信し得る。双方向リンク２３５は認可スペクトル中の周波数に関連付けられ得る。双方向リンク２３０は、ｅＮＢ２０５にダウンリンク容量およびアップリンク容量のオフロードを提供し得る。上記で説明された補助ダウンリンクのように、このシナリオは、認可スペクトルを使用し、トラフィックおよび／またはシグナリング輻輳の一部を軽減する必要がある、任意のサービスプロバイダ（たとえば、モバイルネットワーク事業者（ＭＮＯ：mobile network operator））に関して発生し得る。双方向リンク２３０は、いくつかの例によれば、ＴＤＤ通信を使用して動作し得る。ｅＮＢ２０５とＵＥ２１５−ａの両方が双方向リンク２３０を使用してデータを送信するとき、各々は、無認可無線周波数スペクトル帯域上で双方向リンク２３０を使用してデータを送信する前にＬＢＴ手順を実施し、各々は、しきい値数の連続する無線フレームについての競合に勝ったとき、１つまたは複数の非同期デバイスの存在を決定し、ある時間期間の間、（たとえば、競合手順および／または送信を停止することによって）無線周波数スペクトル帯域の占有を放棄し得る。
【００４０】
[0059]  ワイヤレス通信システム２００におけるスタンドアロン（ＳＡ）モードの一例では、ｅＮＢ２０５は、双方向リンク２４０を使用してＵＥ２１５−ｂにＯＦＤＭＡ通信信号を送信し得、無認可無線周波数スペクトル帯域中の周波数に関連付けられ得る双方向リンク２４０を使用して同じＵＥ２１５−ｂからＳＣ−ＦＤＭＡ通信信号を受信し得る。双方向リンク２４０は、いくつかの例によれば、ＴＤＤ通信を使用して動作し得る。双方向リンク２４０は、ｅＮＢ２０５にダウンリンク容量およびアップリンク容量のオフロードを提供し得る。
【００４１】
[0060]  上記で説明したように、無認可無線周波数スペクトル帯域において展開されるＬＴＥを使用することによって提供される容量オフロードから恩恵を受け得るサービスプロバイダは、ＬＴＥスペクトルを用いる旧来のＭＮＯであり得る。これらのサービスプロバイダにとって、運用上の構成は、認可スペクトル上のＬＴＥ１次コンポーネントキャリア（ＰＣＣ：primary component carrier）と無認可無線周波数スペクトル帯域上の２次コンポーネントキャリア（ＳＣＣ：secondary component carrier）とを使用するブートストラップモード（たとえば、補助ダウンリンク、キャリアアグリゲーション）を含み得る。
【００４２】
[0061]  ＳＤＬモードでは、無認可無線周波数スペクトル帯域を使用する通信のための制御は、認可スペクトルにおいてＬＴＥアップリンク（たとえば、双方向リンク２２５のアップリンク部分）を介してトランスポートされ得る。ダウンリンク容量オフロードを提供する理由の１つは、ダウンリンク消費によってデータ需要が大幅に高められ得るからである。その上、このモードでは、ＵＥ２１５は無認可無線周波数スペクトル帯域において送信していないので、規制上の影響（regulatory impact）が低減され得る。
【００４３】
[0062]  ＣＡモードでは、データおよび制御は、認可スペクトルを使用してＬＴＥ（たとえば、双方向リンク２３５）において通信され得るが、データは、無認可無線周波数スペクトル帯域を使用する双方向リンク２３０を使用して通信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００４４】
[0063]  様々な動作モードのいずれにおいても、通信は、無認可無線周波数スペクトル帯域中の１つまたは複数のキャリア周波数上で送信され得る。様々な例によれば、上述のように、通信はＴＤＤ技法に従って送信され得る。理解されるように、ＴＤＤ通信におけるいくつかのサブフレームはダウンリンクデータを含み得、いくつかのサブフレームはアップリンクデータを含み得る。
【００４５】
[0064]  図３は、本開示の態様による、隣接する基地局と、関連するＵＥと、他のスペクトルユーザとの一例を概念的に示すブロック図である。この例では、複数のｅＮＢ３０５−ａおよび３０５−ｂがそれぞれ重複するカバレージエリア３１０−ａおよび３１０−ｂを有し得る、ワイヤレス通信システム３００の一部分が示されている。この例では、ｅＮＢ３０５−ａは、無認可無線周波数スペクトル帯域において通信リンク３２５−ａを使用してＵＥ３１５−ａと通信し得る。同様に、ｅＮＢ３０５−ｂは、無認可無線周波数スペクトル帯域において通信リンク３２５−ｂを使用してＵＥ３１５−ｂと通信し得る。いくつかの展開によれば、ｅＮＢ３０５−ａおよびＵＥ３１５−ａは、第１の事業者（operator）のネットワーク中に展開され得、第１の事業者のｅＮＢ３０５の間で協調される競合期間中に各同期フレーム上で独立して無認可無線周波数スペクトル帯域について協調され、競合し得る。さらに、いくつかの展開では、ｅＮＢ３０５−ｂおよびＵＥ３１５−ｂは、第２の事業者のネットワーク中に展開され得、第２の事業者のｅＮＢ３０５の間で協調される競合期間中に各同期フレーム上で独立して無認可無線周波数スペクトル帯域について協調され、競合し得る。上述のように、第１の事業者ｅＮＢ３０５−ａおよびＵＥ３１５−ａと第２の事業者ｅＮＢ３０５−ｂおよびＵＥ３１５−ｂとが同期されない例では、協調される競合期間が非同期である場合、事業者のうちの１つは、比較的長い時間期間の間、無線周波数スペクトル帯域にアクセスすることから排除され得る。よく理解されるように、他のユーザはまた、たとえば、Ｗｉ−Ｆｉアクセスポイントを含めて、無線周波数スペクトル帯域において信号を送信し得る。Ｗｉ−Ｆｉアクセスポイントは、無線周波数スペクトル帯域においてＷｉ−Ｆｉ信号を送信し得る。
【００４６】
[0065]  上述のように、Ｗｉ−Ｆｉアクセスポイントは、１つまたは複数の他のデバイスと非同期的に通信し得、無線周波数スペクトル帯域へのアクセスを求めている他のデバイスよりも優先権を有しないことがある。したがって、Ｗｉ−Ｆｉアクセスポイントは、無認可無線周波数スペクトル帯域にアクセスするために使用される標準のＬＢＴ手順を通して無線周波数スペクトル帯域へのチャネルアクセスを獲得し得る。Ｗｉ−Ｆｉアクセスポイントが、ｅＮＢ３０５の一方または両方のＣＣＡ手順中に送信している場合、Ｗｉ−Ｆｉアクセスポイントが無線周波数スペクトル帯域チャネルを勝ち取り、ｅＮＢ３０５は、成功したＣＣＡ手順まで、無線周波数スペクトル帯域チャネルを使用して送信しない。
【００４７】
[0066]  図４Ａは、本開示の態様による、キャリアアグリゲーションモードまたはスタンドアロンモードにおける協調競合ベースの無線周波数スペクトル帯域アクセスのための無線フレームおよび関連するサブフレーム、ならびにダウンリンクＣＣＡ間隔の一例を概念的に示すブロック図４００である。この例では、上記で説明されたように、スタンドアロンモードまたはキャリアアグリゲーションモードにおいて採用され得る、ＴＤＤ通信４１０が示されている。ＬＢＴ固定フレーム期間に対応し得るＴＤＤフレーム４１５は、１０ｍｓであり、いくつかのダウンリンクサブフレーム４２０と、いくつかのアップリンクサブフレーム４２５と、２つのタイプの特殊サブフレーム、Ｓサブフレーム４３０およびＳ’サブフレーム４３５とを含み得る。Ｓサブフレーム４３０は、ダウンリンクサブフレーム４２０とアップリンクサブフレーム４２５との間の遷移として働くが、Ｓ’サブフレーム４３５は、アップリンクサブフレーム４２５とダウンリンクサブフレーム４２０との間の遷移、およびＴＤＤフレーム４１５間の遷移として働く。Ｓ’サブフレーム中に、ダウンリンクＣＣＡ（Ｄ−ＣＣＡ）が、図１〜図３に関して上記で説明されたアクセスポイント１０５、２０５、および／または３０５などのｅＮＢによって実施され得る。成功したＣＣＡに続いて、ｅＮＢは、ｅＮＢがチャネルを勝ち取ったという指示を提供するためにチャネル使用ビーコン信号（ＣＵＢＳ：channel usage beacon signal）４４５を送信し得る。
【００４８】
[0067]  Ｓ’サブフレーム４３５は、図４Ａでは０〜１３の番号を付された、１４個のＯＦＤＭシンボルを含み得る。Ｓ’サブフレームの第１の部分、この例ではシンボル０〜５は、無認可無線周波数スペクトル帯域の使用ために必要とされ得るオフ時間としてｅＮＢによって使用され得る。したがって、ｅＮＢはこの期間中にデータを送信しないが、ＵＥはそのような期間中に何らかの量のデータを送信し得、したがって、様々な例によれば、何らかのアップリンクデータがこの期間中に送信され得る。Ｓ’サブフレーム４３５の第２の部分はＤ−ＣＣＡ４４０のために使用され得る。図４Ａの例では、Ｓ’サブフレーム４３５は、図４Ａの例ではシンボル６〜１２中に含まれる、７つのＤ−ＣＣＡ間隔を含む。上述されたように、システム中のＣＣＡは、より効率的なシステム動作を提供するために協調され得る。いくつかの例では、７つの可能な間隔のうちのどれがＤ−ＣＣＡを実施するために使用されるかを決定するために、ｅＮＢは、形式
【００４９】
【数１】
0006483104.tif 000002
【００５０】
のマッピング関数を評価し得、
ここで、ＧｒｏｕｐＩＤは、ｅＮＢに割り当てられた「展開グループｉｄ」であり、ｔは、図４Ａの例ではＴＤＤフレーム（ＬＢＴ固定フレーム期間）４１５に対応する、ＬＢＴフレーム番号である。
【００５１】
[0068]  図４Ｂは、本開示の態様による、キャリアアグリゲーションモードまたはスタンドアロンモードにおける協調競合ベースの無線周波数スペクトル帯域アクセスのための無線フレームおよび関連するサブフレーム、ならびにアップリンクＣＣＡ間隔の一例を概念的に示すブロック図４５０である。図４Ａの例の場合と同様に、ＴＤＤ通信４５５が示されている。図４ＡのＴＤＤフレーム４１５に対応し、ＬＢＴ固定フレーム期間に対応し得る、ＴＤＤフレーム４６０は、いくつかのダウンリンクサブフレーム４２０と、いくつかのアップリンクサブフレーム４２５と、２つのタイプの特殊サブフレーム、Ｓサブフレーム４３０およびＳ’サブフレーム４３５とを含む。上記で説明されたように、Ｓサブフレーム４３０は、ダウンリンクサブフレーム４２０とアップリンクサブフレーム４２５との間の遷移として働くが、Ｓ’サブフレーム４３５は、アップリンクサブフレーム４２５とダウンリンクサブフレーム４２０との間の遷移、およびＴＤＤフレーム４１５間の遷移として働く。Ｓサブフレーム４３０中に、アップリンクＣＣＡ（Ｕ−ＣＣＡ）４６５が、図１〜図３に関して上記で説明されたＵＥ１１５、２１５、および／または３１５などのＵＥによって実施され得る。成功したＵ−ＣＣＡ４６５に続いて、ＵＥは、ＵＥがチャネルを勝ち取ったという指示を提供するためにチャネル使用ビーコン信号（ＣＵＢＳ）４７０を送信し得る。
【００５２】
[0069]  Ｓサブフレーム４３０は、図４Ｂでは０〜１３の番号を付された、１４個のＯＦＤＭシンボルを含み得る。Ｓサブフレーム４３０の第１の部分、この例ではシンボル０〜３は、ダウンリンクパイロットタイムスロット（ＤｗＰＴＳ）４７５であり得、Ｓサブフレーム４３０の第２の部分はガード期間（ＧＰ：guard period）４８０であり得る。Ｓサブフレーム４３０の第３の部分はＵ−ＣＣＡ４６５のために使用され得る。図４Ｂの例では、Ｓサブフレーム４３０は、図４Ｂの例ではシンボル６〜１２中に含まれる、７つのＵ−ＣＣＡ間隔を含む。上述されたように、システム中のＣＣＡは、より効率的なシステム動作を提供するために協調され得る。いくつかの例では、７つの可能な間隔のうちのどれがＵ−ＣＣＡを実施するために使用されるかを決定するために、ＵＥは、Ｄ−ＣＣＡマッピング関数の場合と同様に、形式
【００５３】
【数２】
0006483104.tif 000003
【００５４】
のマッピング関数を評価し得、
ここで、ＧｒｏｕｐＩＤは、ＵＥに割り当てられた「展開グループｉｄ」であり、ｔは、図４Ｂの例ではＴＤＤフレーム（ＬＢＴ固定フレーム期間）４１５に対応する、ＬＢＴフレーム番号である。
【００５５】
[0070]  ＣＣＡマッピング関数は、マッピング関数が直交化性質を有することになるか非直交化性質（non- orthogonalization property）を有することになるかに応じて、異なる基準に基づいて構成され得る。無線周波数スペクトル帯域上で送信の検出がない場合、以前のＣＣＡ間隔にマッピングするグループｉｄをもつノードは、チャネルを確保し、次いで、ノードは、次のＬＢＴフレームにわたってそのチャネルを使用し得る。様々な展開によれば、異なる時間インデックスｔにわたって、マッピング｛ＦD/U（ｘ，ｔ）、ｔ＝１，２，３，．．．｝は、異なる展開グループｉｄが、適切に長い時間間隔にわたって以前のＣＣＡ間隔にマッピングする等しい機会を有する（したがって、他の干渉がない場合にチャネルを確保する）ように変化するという意味において、マッピング関数は公平である。
【００５６】
[0071]  同じ事業者／サービスプロバイダによって展開されるすべてのノードは、それらが競合プロセスにおいて互いをプリエンプトしないように、同じグループｉｄを割り当てられ得る。これは、同じ展開のノードの間で完全な周波数再利用を可能にし、拡張されたシステムスループットにつながる。異なる展開のノードは、直交ＣＣＡマッピングで、チャネルへのアクセスが相互排他的になるように、異なる展開グループｉｄを割り当てられ得る。
【００５７】
[0072]  図５は、本開示の態様による、競合ベースチャネルアクセスと、競合ベース手順に行われ得る修正との一例５００を示す。例５００では、補助ダウンリンク通信５１０が示されている。ＬＢＴ固定フレーム期間に対応し得る補助ダウンリンク（ＳＤＬ）フレーム５１５は、１０ｍｓであり、いくつかのダウンリンクサブフレーム５２０と、Ｓ’サブフレーム５３５とを含み得る。Ｓ’サブフレーム５３５は、ｅＮＢが無線周波数スペクトル帯域へのチャネルアクセスについてその間に競合し得る競合期間を含み得る。Ｓ’サブフレーム５３５中に、ダウンリンクＣＣＡ（Ｄ−ＣＣＡ）５４０が、図１〜図３に関して上記で説明されたアクセスポイント１０５、２０５、および／または３０５などのｅＮＢによって実施され得る。成功したＤ−ＣＣＡ５４０に続いて、ｅＮＢは、ｅＮＢがチャネルを勝ち取ったという指示を提供するためにチャネル使用ビーコン信号（ＣＵＢＳ）５４５を送信し得る。
【００５８】
[0073]  上記で説明されたのと同様に、Ｓ’サブフレーム５３５は、図５では０〜１３の番号を付された、１４個のＯＦＤＭシンボルを含み得、Ｓ’サブフレーム５３５の第１の部分はｅＮＢによってオフ時間として使用される。Ｓ’サブフレーム５３５の第２の部分はＤ−ＣＣＡ５４０のために使用され得る。図５の例では、Ｓ’サブフレーム５３５は、図５の例ではシンボル６〜１２中に含まれる、７つのＤ−ＣＣＡ間隔を含む。上述されたように、システム中のＣＣＡは、より効率的なシステム動作を提供するために協調され得、マッピング関数はｅＮＢのためにＣＣＡ間隔を決定し得る。
【００５９】
[0074]  補助ダウンリンクモード、スタンドアロンモード、およびキャリアアグリゲーションモード、ｅＮＢ（またはスタンドアロンもしくはキャリアアグリゲーションモードにおけるＵＥ）に関して上記で説明されたように、あるノードが競合に勝ち、ＣＵＢＳをブロードキャストし始めたとき、他のノードは、次のＳまたはＳ’サブフレームまで、無線フレームの持続時間の残りの間、無線周波数スペクトル帯域のチャネルにアクセスすることから排除される。上記で説明されたように、ＣＣＡが同期される場合、マッピング関数は、無線周波数スペクトル帯域チャネルへの公平なアクセスを提供する。しかしながら、１つまたは複数の非同期事業者が無線周波数スペクトル帯域について競合している状況では、フレームにおいて別の事業者の競合期間に後続する競合期間を有する事業者は、拡張された期間の間、チャネルにアクセスすることから排除され得る。
【００６０】
[0075]  図６は、本開示の態様による、競合ベースの無線周波数スペクトル帯域展開における異なるｅＮＢの非同期無線フレームを概念的に示すブロック図６００である。この例では、第１のｅＮＢ（ｅＮＢ１）は、連続するＬＢＴフレーム６０５、６１０、および６１５を送信する。この例では、ＬＢＴフレーム６０５〜６１５は補助ダウンリンクフレームであるが、同様の状況は、スタンドアロンモードおよび／またはキャリアアグリゲーションモードフレームに関して起こり得る。図６の例では、第２のｅＮＢ（ｅＮＢ２）は、連続するＬＢＴフレーム６２０、６２５、および６３０を送信する。この例では、ＬＢＴフレーム６２０〜６３０は補助ダウンリンクフレームであるが、同様の状況は、スタンドアロンモードおよび／またはキャリアアグリゲーションモードフレームに関して起こり得る。第２のｅＮＢが、図６などに示されているように、第１のｅＮＢと同期されない場合、第２のｅＮＢの特殊サブフレーム６３５、６４０、および６４５が第１のｅＮＢのＬＢＴフレーム６０５〜６１５中に発生し得る。第２のｅＮＢが特殊サブフレーム６３５においてＣＣＡを開始するとき、第１のｅＮＢはすでに送信中であるので、第２のｅＮＢはチャネルアクセスから排除されることになる。図６に示されているように、第２のｅＮＢの特殊サブフレーム６４０および６４５は第１のｅＮＢの送信期間中にも発生しており、したがって、第２のｅＮＢは、ＬＢＴフレーム６２５および６３０のためのチャネルアクセスから排除されることになる。第２のｅＮＢは、第１のｅＮＢがすべてのそれのデータを送信し終えるかまたは自発的にチャネルを放棄するまで、チャネルにアクセスすることから排除され得、したがって、第２のｅＮＢにとって、チャネルの不公平なアクセスと、劣化したユーザエクスペリエンスとにつながり得る。
【００６１】
[0076]  第１のｅＮＢは、いくつかの例では、第１の事業者の展開に関連し得、第１の事業者の協調ノードのセットの一部分であり得る。第２のｅＮＢは、いくつかの例では、第２の事業者の展開に関連付けられ得、第２の事業者の協調ノードの第２のセットの一部分であり得る。場合によっては、第１および第２の事業者は、それらのＬＢＴフレーム、およびＬＢＴフレーム内の競合期間を同期させ得る。他の場合には、図６などに示されているように、第１および第２の事業者は非同期ＬＢＴフレームを有し得る。
【００６２】
[0077]  図７は、本開示の態様による、競合ベースの無線周波数スペクトル帯域展開における３つの異なるｅＮＢの非同期無線フレームを概念的に示すブロック図７００である。この例では、第１のｅＮＢ（ｅＮＢ１）は、連続するＬＢＴフレーム７０５、７１０、および７１５を送信する。この例では、ＬＢＴフレーム７０５〜７１５は補助ダウンリンクフレームであるが、同様の状況は、スタンドアロンモードおよび／またはキャリアアグリゲーションモードフレームに関して起こり得る。図７の例では、第２のｅＮＢ（ｅＮＢ２）は、連続するＬＢＴフレーム７３５、７４５、および７５５を送信し、第３のｅＮＢ（ｅＮＢ３）は、連続するＬＢＴフレーム７６５、７７５、および７８５を送信する。
【００６３】
[0078]  この例では、第２のｅＮＢのＬＢＴフレーム７３５、７４５、および７５５、ならびに第３のｅＮＢのＬＢＴフレーム７６５、７７５、および７８５も補助ダウンリンクフレームであるが、同様の状況は、スタンドアロンモードおよび／またはキャリアアグリゲーションモードフレームに関して起こり得る。第２のｅＮＢが、図７などに示されているように、第１のｅＮＢと同期されない場合、第２のｅＮＢの特殊サブフレーム７３０、７４０、および７５０がＬＢＴフレーム７０５〜７１５中に発生し得る。同様に、第３のｅＮＢが、図７などに示されているように、第１または第２のｅＮＢと同期されない場合、第３のｅＮＢの特殊サブフレーム７６０、７７０、および７８０が第１のｅＮＢのＬＢＴフレーム７０５〜７１５中にならびに第２のｅＮＢのＬＢＴフレーム７３５〜７５５中に発生し得る。
【００６４】
[0079]  たとえば、すべての３つのｅＮＢが、１つまたは複数の関連するＵＥに送信されるべきデータを有する場合、ｅＮＢの各々は、各ＬＢＴフレームにおける競合期間中に無線周波数スペクトル帯域のチャネルへのチャネルアクセスを獲得することを試み得る。そのような一例が図８に示され、図８は、本開示の態様による、第１のｅＮＢが競合ベースの無線周波数スペクトル帯域展開において連続する無線フレームのためのチャネルアクセスを保持し得る、そこで異なる事業者の３つの異なるｅＮＢの非同期無線フレームを概念的に示すブロック図である。この例では、図７の例に対応して、第１のｅＮＢ（ｅＮＢ１）は、連続するＬＢＴフレーム８０５、８１０、および８１５を送信する。この例では、ＬＢＴフレーム８０５〜８１５は補助ダウンリンクフレームであるが、同様の状況は、スタンドアロンモードおよび／またはキャリアアグリゲーションモードフレームに関して起こり得る。第１のｅＮＢは、第１の事業者の展開の一部分であり得、第１のＬＢＴフレーム８０５中にデータを送信し、特殊サブフレーム８２０中にＣＣＡを実施し得る。この例では、第２のｅＮＢおよび第３のｅＮＢはそれぞれフレーム８３５および８６５中にチャネルにアクセスするのを排除されるので、第１のｅＮＢは、無線周波数スペクトル帯域についての競合に勝ち、第２のＬＢＴフレーム８１０中に送信し続け、特殊サブフレーム８２５中にＣＣＡを再び実施し得る。第２のｅＮＢおよび第３のｅＮＢはそれぞれフレーム８４５および８７５中にチャネルにアクセスするのを排除されるので、第１のｅＮＢは、無線周波数スペクトル帯域についての競合に再び勝ち、第３のＬＢＴフレーム８１５中に送信し続け得る。第１のｅＮＢは、無認可無線周波数スペクトル帯域の別のユーザが第１のｅＮＢの競合期間中に送信し始めることが起こるまで、または第１のｅＮＢにおけるデータバッファが空になるまで、そのような方法で続ける。
【００６５】
[0080]  一方、第２のｅＮＢは、第２の事業者の展開の一部分であり得、特殊サブフレーム８３０中にＣＣＡを実施し得る。第１のｅＮＢは送信中であるので、第２のｅＮＢは、競合に負け、ＬＢＴフレーム１ ８３５において送信せず、特殊サブフレーム８４０まで、別のＣＣＡを実施しないことになる。ＬＢＴフレーム１ ８３５の終わりに、送信すべきデータを有し続ける第２のｅＮＢは、特殊サブフレーム８４０中にＣＣＡを再び実施し得る。この場合も、第１のｅＮＢは送信中であるので、第２のｅＮＢは、競合に負け、ＬＢＴフレーム２  ８４５において送信しないことになる。ＬＢＴフレーム２  ８４５の終わりに、第２のｅＮＢは、特殊サブフレーム８５０中にＣＣＡを再び実施し得る。この場合も、第１のｅＮＢは送信中であるので、第２のｅＮＢは、競合に負け、ＬＢＴフレーム３  ８５５において送信しないことになる。第２のｅＮＢは、第１のｅＮＢがチャネルを失うかあるいは送信すべきデータをもはや有しなくなるまで、そのような方法で続ける。
【００６６】
[0081]  同様に、第３のｅＮＢは、第３の事業者の展開の一部分であり得、特殊サブフレーム８６０中にＣＣＡを実施し得る。第１のｅＮＢは送信中であるので、第３のｅＮＢは、競合に負け、ＬＢＴフレーム１  ８６５において送信せず、特殊サブフレーム８７０まで、別のＣＣＡを実施しないことになる。ＬＢＴフレーム１  ８６５の終わりに、送信すべきデータを有し続ける第３のｅＮＢは、特殊サブフレーム８７０中にＣＣＡを再び実施し得る。この場合も、第１のｅＮＢは送信中であるので、第３のｅＮＢは、競合に負け、ＬＢＴフレーム２  ８７５において送信しないことになる。ＬＢＴフレーム２  ８７５の終わりに、第３のｅＮＢは、特殊サブフレーム８８０中にＣＣＡを再び実施し得る。この場合も、第１のｅＮＢは送信中であるので、第３のｅＮＢは、競合に負け、ＬＢＴフレーム３  ８８５において送信しないことになる。第３のｅＮＢは、第１のｅＮＢがチャネルを失うかあるいは送信すべきデータをもはや有しなくなるまで、そのような方法で続ける。
【００６７】
[0082]  しかしながら、第２のｅＮＢが特殊サブフレーム８３０、８４０、および８５０においてＣＣＡを実施するとき、第３のｅＮＢは、第２のｅＮＢが、第１のｅＮＢの場合と同様に、チャネルを失うかあるいは送信すべきデータをもはや有しなくなるまで、やはり競合に勝利しない。したがって、そのような状況における第３のｅＮＢは、チャネルアクセスのために容認できないほど長い時間の間待つことを強制され得、たとえば、認可スペクトルの使用にフォールバックする必要があり得る。したがって、そのような状況では、第３の、および場合によっては第２の事業者は、送信を無認可無線周波数スペクトル帯域にオフロードする利益の低減を経験することになる。そのような非同期展開におけるチャネルアクセスに拡張された公平性を提供するために、そのようなシナリオにおいて第２および第３のｅＮＢがより公平に無線周波数スペクトル帯域チャネルにアクセスすることを可能にするための技法が提供される。
【００６８】
[0083]  図９は、本開示の態様による、第１のｅＮＢが、競合ベースの無線周波数スペクトル帯域展開において競合に勝ったしきい値数の連続する無線フレームに続いて競合手順および／または送信／受信を停止することによって無線周波数スペクトル帯域の占有を放棄し得る、３つの異なるｅＮＢの非同期無線フレームを概念的に示すブロック図９００である。いくつかの例では、例９００の部分は、図１、図２、および／または図３に関して説明されたアクセスポイント１０５、２０５、３０５および／またはＵＥ１１５、２１５、３１５のうちの１つまたは複数によって行われ得る。図９の例では、たとえば、しきい値数（Ｎ）の連続するＬＢＴフレームを送信したノードが、次いで、いくつかのフレームまたはサブフレームをブランキングし得ることを規定する、媒体アクセス制御（ＭＡＣ）プロトコルへの追加の制約など、追加の制約が追加され得る。
【００６９】
[0084]  図９の例では、第１の事業者に関連し得る第１のｅＮＢ（ｅＮＢ１）は、第１のＬＢＴフレーム９０５中に送信する。この例では、第１のＬＢＴフレーム９０５は、第１のｅＮＢが競合に勝ったしきい値数の連続する送信期間（たとえば、ＬＢＴフレーム）に等しいかまたはそれよりも大きくなり得、したがって、第１のｅＮＢは、特殊サブフレーム９２０中に無線周波数スペクトル帯域チャネルについて競合し得ない。上述のように、第１のｅＮＢは協調ノードのセット中のｅＮＢであり得、しきい値数の連続する送信期間は、協調ノードのセットのノードのいずれかが競合に勝った送信期間に対応し得る。いずれの場合も、そのような決定に続いて、第１のｅＮＢは、（たとえば、競合手順および／または送信／受信を停止することによって）無線周波数スペクトル帯域の占有を放棄し、第１のｅＮＢの第２のＬＢＴフレーム９１０中にいくつかのブランクサブフレームを有し得る。いくつかの例では、ｅＮＢは、再び無線周波数スペクトル帯域チャネルアクセスについて競合する前に、たとえば、１つのＬＢＴフレーム中の非特殊サブフレームのすべてなど、いくつかのサブフレームをブランキングし得る。他の例では、ｅＮＢは２つ以上のＬＢＴフレームをブランキングし得る。無線周波数スペクトル帯域の占有をそれにわたって放棄すべきサブフレームの数の決定は、たとえば、あらかじめ決定され、コアネットワークもしくは他のノードによってｅＮＢ（もしくはＵＥ）にシグナリングされ、および／またはチャネル状態に基づいて動的に決定され得る。
【００７０】
[0085]  第１のｅＮＢは、次いで、図９の例では、特殊サブフレーム９２５中にチャネルアクセスについて再び競合し得る。しかしながら、特殊サブフレーム９２５は第２のｅＮＢのＬＢＴフレーム９４５中に発生するので、第１のｅＮＢは、競合に勝たず、ＬＢＴフレーム９１５中に無線周波数スペクトル帯域チャネル上で送信することから排除される。第２のｅＮＢは、特殊サブフレーム９３０において無線周波数スペクトル帯域のチャネルアクセスについて競合し得、この例では競合に負け、したがって、ＬＢＴフレーム９３５中に送信することから排除される。第２のｅＮＢは、次いで、特殊サブフレーム９４０中に競合に勝ち得、第２のｅＮＢが特殊サブフレーム９５０において競合に勝つと仮定すると、連続するＬＢＴフレーム９４５および９５５中にデータを送信し得る。それに応じて、第２のｅＮＢは無線周波数スペクトル帯域チャネルにアクセスすることが可能になる。第３のｅＮＢは、特殊サブフレーム９６０、９７０、および９８０がＬＢＴフレーム９０５〜９５５中に発生し、その間に第１のｅＮＢまたは第２のｅＮＢのいずれかが送信中であるので、この例では、ＬＢＴフレーム９６５、９７５、または９８５のいずれについても競合に勝利しない。
【００７１】
[0086]  この場合、他のｅＮＢに対する停止は限定され、第１のｅＮＢがそれのバッファ中にデータを有する限り、無期限には続かない。第２のｅＮＢは、第１のｅＮＢによってブランキングされた時間期間中に無線周波数スペクトル帯域チャネルを確保すると、第２のｅＮＢは、最大しきい値数の連続するＬＢＴフレームの間、チャネルを保持し得、その後次いで、第２のｅＮＢは、ある時間期間（たとえば、少なくとも１つのＬＢＴフレーム）の間ブランキングする。ただ２つの非同期事業者を有する例では、第１のｅＮＢは、それのＵＥへのサービスをレジュームするために無線周波数スペクトル帯域チャネルへのアクセスを回復し得る。図９の例など、３つ以上の非同期ｅＮＢをもつ例では、第３のｅＮＢは、それのＵＥをサービスし始め得る。このようにして、非同期ｅＮＢは、交替でそれらのユーザをサービスし得、それにより、異なる事業者が無線周波数スペクトル帯域チャネルにアクセスするための等しい機会を提供し、システム中のユーザのために均一なサービス品質を維持する。いくつかの例では、１つのブランクＬＢＴフレームは、たいていの場合、所望の目的を達成するのに十分であり得る。他の例では、ロバストネスを追加し、潜在的ＣＣＡエラーを補償し、および／または、時々のＷｉ−Ｆｉ干渉の存在を考慮するために、より長いブランク期間が使用され得る。
【００７２】
[0087]  図１０は、本開示の態様による、第２のｅＮＢが、競合ベースの無線周波数スペクトル帯域展開において競合に勝ったしきい値数の連続する無線フレームに続いて無線周波数スペクトル帯域の占有を放棄し得る、３つの異なるｅＮＢの非同期無線フレームを概念的に示すブロック図  １０００である。いくつかの例では、例  １０００の部分は、図１、図２、および／または図３に関して説明されたアクセスポイント１０５、２０５、３０５および／またはＵＥ１１５、２１５、３１５のうちの１つまたは複数によって行われ得る。
【００７３】
[0088]  この例では、第１の事業者に関連し得る第１のｅＮＢ（ｅＮＢ１）は、競合に負けており、第１のＬＢＴフレーム１００５中に送信することから排除される。第２の事業者に関連し得る第２のｅＮＢは、特殊サブフレーム１０３０においてＣＣＡ手順中に無線周波数スペクトル帯域チャネル競合に勝ち、ＬＢＴフレーム１０３５中にデータを送信し得る。特殊サブフレーム１０２０は、ＬＢＴフレーム１０３５の第２のｅＮＢによる送信中に発生するので、第１のｅＮＢは、ＬＢＴフレーム１０１０中に送信することから排除され続ける。この例では、ＬＢＴフレーム１０３５は、第２のｅＮＢが競合に勝ったしきい値数の連続するＬＢＴフレームに等しいかまたはそれよりも大きくなり得、したがって、第２のｅＮＢは、特殊サブフレーム１０４０中に無線周波数スペクトル帯域チャネルについて競合し得ない。第２のｅＮＢは、したがって、送信するのを停止し、第２のｅＮＢの第２のＬＢＴフレーム１０４５中の無線周波数スペクトル帯域チャネルの占有を放棄し得る。
【００７４】
[0089]  第３の事業者に関連し得る第３のｅＮＢは、第３のｅＮＢが特殊サブフレーム１０６０中にそれのＣＣＡ手順を実施する前に第２のｅＮＢがすでに送信中であるので、ＬＢＴフレーム１０６５中に送信することから排除される。第３のｅＮＢは、特殊サブフレーム１０７０中に無線周波数スペクトル帯域チャネルアクセスについて競合し、特殊サブフレーム１０７０が特殊サブフレーム１０２５および１０５０より先にあるので、競合に勝ち得る。第３のｅＮＢは、次いで、ＬＢＴフレーム１０７５においてデータを送信し得る。第１および第２のｅＮＢが競合に負けたので、それらは、それぞれＬＢＴフレーム１０１５および１０５５中に送信することから排除される。第３のｅＮＢは、したがって、特殊サブフレーム１０８０中に競合に再び勝ち、ＬＢＴフレーム１０８５中に送信し、しきい値数の連続する送信期間についての競合に勝つまで、またはそれのデータバッファが空になるまで、競合に勝ち続け得る。第３のｅＮＢが、しきい値数の成功した競合に続いて無線周波数スペクトル帯域の占有を放棄すると、第１のｅＮＢは、この例では次いで、第２および第３のｅＮＢに対する第１のｅＮＢの特殊サブフレームのタイミングに基づいて、競合に勝ち得る。このように、競合に勝つことは、最初の展開がそれの送信を再開することになる前に、すべての事業者展開がそれらのデータの少なくとも一部を送信するための機会を有することを保証する、ある非同期事業者展開から次の非同期事業者展開にラウンドロビン様式（round-robin fashion）で受け渡され得る、トークン（token）を有するものとして見なされ得る。
【００７５】
[0090]  図９および図１０の例によれば、ブランキングから恩恵を受け得る他の非同期事業者展開がない場合でも、各ｅＮＢはいくつかのＬＢＴフレームをブランキングする。いくつかの例によれば、無線周波数スペクトル帯域の占有を放棄することは、いくつかの他の条件が満たされた場合のみ呼び出され得、したがって、ｅＮＢは、送信されるべきデータが存在する限り、送信を続けることが可能になる。いくつかの例では、ＵＥは、１つまたは複数の非同期事業者がｅＮＢの範囲内にあると決定し得る。そのような決定は、たとえば、Ｘ２インターフェースなどを介して、ｅＮＢにおいて受信されるシグナリングを通して、他のｅＮＢと通信しているＵＥを介して、および／または他のｅＮＢからの送信の監視を通して行われ得る。
【００７６】
[0091]  いくつかの例では、各ｅＮＢは、システム情報を周期的に送信し得る。たとえば、ｅＮＢは、８０ミリ秒ごとに１回など、ある固定周期性とともにシステム情報を送信し得る。これらの比較的低いデューティサイクル送信は、送信の長さおよび比較的低頻度の送信により、ＣＣＡ要件を免除され得る。そのような送信は、ＣＣＡ免除送信（ＣＥＴ）と呼ばれ、ｅＮＢの識別情報、および無認可無線周波数スペクトル帯域を使用して送信されるべきであるｅＮＢキュー中のデータの量などの情報を含み得る。ＣＥＴ信号は、ｅＮＢによってサービスされ得るＵＥによるそのｅＮＢの発見を可能にするためのものである。しかし、この機構は、場合によっては他の展開に属し得る他のＵＥおよびｅＮＢによる当該ｅＮＢの発見を可能にし得る。
【００７７】
[0092]  いくつかの例では、ｅＮＢは、いずれかの非同期ｅＮＢの存在または不在を決定するためにＣＥＴを使用し得る。そのような例では、２分ごとに１回など、周期的に、ｅＮＢは、それが他のｅＮＢからのＣＥＴ信号についてその間にチャネルを監視するある時間期間（たとえば、２００〜３００ミリ秒）の間、送信（ＤＴＸ）を中止し得る。ｅＮＢが、それのＬＢＴしきい値（たとえば、−６２ｄＢｍ／２０ＭＨｚ）内で他の非同期ｅＮＢを検出した場合、ｅＮＢは、次いで、次のアクティブ（非ドーマント（non-dormant））期間の間（たとえば、上記の例では２分間）、上記で説明されたブランキング機構を可能にし得る。追加または代替として、他の非同期ｅＮＢが検出されると、ｅＮＢは、周期的に特定の非同期ｅＮＢからのＣＥＴ送信を監視し、監視されたＣＥＴ信号からのいくつかの情報要素をサービングｅＮＢに返報するようにそれのＵＥを構成し得る。
【００７８】
[0093]  いくつかの例では、ＵＥは、たとえば、ＣＥＴ信号を送信しているｅＮＢにおけるデータバックログの量の指示など、ＣＥＴ信号中の情報要素を報告し得る。ＵＥ報告は、ＬＢＴしきい値内にある非同期ｅＮＢがそれらのキュー中に十分大きいデータバックログを有することを示す場合、所与のｅＮＢは、ブランキング機構をオンにして、他の非同期ｅＮＢが交替でそれらのユーザをサービスすることを可能にする。ＵＥは、非同期ｅＮＢが十分長い持続時間の間ほとんどまたはまったくバックログを有しないことを報告すると、あるいは非同期ｅＮＢが比較的長い持続時間の間それらのＣＥＴを送信するのを停止していることを報告すると、ｅＮＢは、ｅＮＢの連続するＣＣＡのしきい値数に基づいて、無線周波数スペクトル帯域の占有を放棄するのを中止し得る。
【００７９】
[0094]  図１１は、本開示の態様による、ｅＮＢが、適応的に決定されたオン持続時間に続いて他のアクセスポイントの送信についてアクティブにリッスンし得る、無線フレームを概念的に示すブロック図  １１００である。いくつかの例では、競合に勝ったしきい値数の連続する送信期間は、たとえば、他のｅＮＢからの情報に基づいて修正され得る。いくつかの例では、ｅＮＢは、しきい値数の連続する送信期間を勝ち取ることにより、それが無線周波数スペクトル帯域の占有を放棄した（たとえば、競合手順および／または送信／受信を実施するのを停止した）とき、ＣＣＡ動作において実施されるリスニング手順と同様に、リスニングモードに切り替わり得る。図１１では、第１のｅＮＢは、「オン」持続時間中の、ＬＢＴフレーム１１０５においてデータを送信し得る。この例では、ＬＢＴフレーム１１０５は、第１のｅＮＢがしきい値数の連続する送信期間に勝ったフレームに対応し、第１のｅＮＢは、次いで、ＬＢＴフレーム１１１０の間の送信を停止し、ＣＥＴ信号についてのアクティブリスニングに関与する。
【００８０】
[0095]  測定結果に基づいて、ｅＮＢは、他のデバイスからの送信アクティビティがあるか否かと、異なる事業者から来得るそれらのデバイスとを決定し得る。ｅＮＢが、そのようなリスニング期間中に送信アクティビティがないと決定した場合、図１１に示されているように、ｅＮＢは、しきい値数の連続する送信期間に対応し得る、次の「オン」持続時間を増加させ得る。本例では図１１の場合、初期オン持続時間は１つのＬＢＴフレームに設定され、この持続時間は、ＬＢＴフレーム１１１５および１１２０の送信を可能にするように増加され、その後、送信を停止し、ＬＢＴフレーム１１２５についてアクティブリスニングに関与する。ｅＮＢが、ＬＢＴフレーム１１２５中に送信アクティビティがないと決定した場合、図１１に示されているように、ｅＮＢは、次の「オン」持続時間を再び増加させ得る。この例では、第３のオン持続時間は、ＬＢＴフレーム１１３０、１１３５、１１４０、および１１４５をカバーするように増加され、次いで、ｅＮＢは、ＬＢＴフレーム１１５０の間の送信を停止し、他のｅＮＢについて再びアクティブにリストされ得る。
【００８１】
[0096]  いくつかの例によれば、最大しきい値の連続する送信期間は、最大「オン（on）」持続時間（duration）が制限されるように実装され得る。１つまたは複数の他のｅＮＢが検出された場合、ｅＮＢは、それの次または将来の「オン」持続時間値を減少させ得る。別の例では、ｅＮＢは、検出された他の非同期ｅＮＢの数に少なくとも部分的に基づいてそれの次または将来の「オン」持続時間値を減少させ得る。たとえば、ｅＮＢは、１つの他の非同期ｅＮＢが検出された場合、それの次または将来の「オン」持続時間値を３から２に減少させるか、あるいは２つ以上の非同期ｅＮＢが検出された場合、それの次または将来の「オン」持続時間値を３から１に減少させ得る。いくつかの例では、最小しきい値が実装され得る。他の例では、ｅＮＢは、アクティブリスニング中に、トラフィックアクティビティが無認可無線周波数スペクトル帯域技術から来ているか、他の技術、たとえば、Ｗｉ−Ｆｉから来ているかを決定し、次いで、異なるストラテジーを使用して「オン」持続時間値を調整し得る。たとえば、Ｗｉ−Ｆｉ事業者からの送信が検出された場合、Ｗｉ−Ｆｉノードは協調様式で動作しないことがあり、したがって、「オン」持続時間値を調整しても、そのようなＷｉ−Ｆｉノードが無線周波数スペクトル帯域にアクセスする能力が向上しないので、ｅＮＢは、それの現在の「オン」持続時間値を維持し得る。他の例では、トラフィックアクティビティは、同期システムにおいて動作することが中で知られているというデバイスからのものであると決定され得、したがって、ｅＮＢの「オン」持続時間は、そのようなデバイスへの公平なアクセスを可能にするように調整され得る。
【００８２】
[0097]  いくつかの例では、連続的に送信され得るしきい値数のフレームを決定するために特定のアルゴリズムが使用され得る。アルゴリズムでは、「オン」サブフレームの最小数を識別するために値Ｎ＿ｍｉｎが使用され得、「オン」サブフレームの最大数を識別するためにＮ＿ｍａｘが使用され得、送信を停止する前に「オン」サブフレームの現在の番号を識別するためにＮ＿ｃｕｒｒｅｎｔが使用され得、１つまたは複数の現在のブランクサブフレームに続いて使用されるべき「オン」サブフレームの番号を識別するためにＮ＿ｕｐｄａｔｅが使用され得る。これらの例のアルゴリズムは以下を含み得る。
【００８３】
ａ）Ｎ＿ｃｕｒｒｅｎｔ＝Ｎ＿ｍｉｎで初期化する
ｂ）Ｋ個のブランクサブフレーム中に、ｅＮＢが、Ｍ個のサブフレームの持続時間の間にＣＣＡを行い、メトリック（たとえば、非同期ｅＮＢの数）を決定して、それをあらかじめ定義されたしきい値と比較する
・メトリックがしきい値よりも大きい場合、
【数３】
0006483104.tif 000004
【００８４】
・そうでない場合、
【数４】
0006483104.tif 000005
【００８５】
ｃ）ステップ（ｂ）に戻る
このようにして、連続する数の送信期間のためのしきい値数は、ｅＮＢによる現在の状態のエクスペリエンスに基づいて適応的に設定され得、ワイヤレス通信システムの効率は向上され得る。
【００８６】
[0098]  いくつかの例では、ｅＮＢおよび／またはＵＥは複数のキャリアを利用し得る。複数のキャリアは、１つまたは複数の無認可周波数スペクトル帯域、１つまたは複数の認可周波数スペクトル帯域、あるいはそれらの組合せ内にあり得る。いくつかの例では、本明細書で説明される技法は、複数の無認可周波数スペクトル帯域中の複数のキャリアを利用するように修正され得る。たとえば、上記で説明されたアルゴリズムにおける送信期間は、第１の無認可周波数スペクトル帯域内の第１のキャリアのためのものであり得る。第１のキャリアのＫ個のブランクサブフレーム中に、ｅＮＢまたはＵＥは、Ｋ個のサブフレームに等しい期間の間に送信を行うために、（認可（licensed）または無認可（unlicensed）のいずれかの）第２の無線周波数スペクトル帯域内の第２のキャリアを利用し得る。Ｋ個のサブフレームの後に、第２のキャリアの占有は放棄され得、送信は、いくつかの送信期間の間、第１のキャリア上で行われ得る。
【００８７】
[0099]  第１のキャリアの占有が放棄されたとき、（認可または無認可のいずれかの）第２の無線周波数スペクトル帯域の第２のキャリア上での送信を続けることによって、ｅＮＢまたはＵＥは、より少ないサービス中断を経験し得る。たとえば、第１の無認可無線周波数スペクトル帯域中の第１のキャリアと、第２の無認可無線周波数スペクトル帯域中の第２のキャリアとは、実質的に連続的な通信を提供し得る単一の「仮想キャリア（virtual carrier）」に合成またはアグリゲートされる複数のサブキャリアを含み得る。第１のキャリアは、Ｎ個のサブフレームの間「オン」であり、Ｋ個のサブフレームの間ブランクであり得、第２のキャリアは、Ｋ個のサブフレームの間「オン」であり、Ｎ個のサブフレームの間ブランクであり得る。第１のキャリアと第２のキャリアの両方においてブランクサブフレームを利用することによって、複数の無線周波数スペクトル帯域の各々へのアクセスにおける公平性が、競合ベースのアクセスプロトコルに従って維持され得る。
【００８８】
[0100]  図１２Ａおよび図１２Ｂは、本開示の態様による、ワイヤレス通信において使用するｅＮＢまたはＵＥなどのデバイスを概念的に示すブロック図である。最初に図１２Ａを参照すると、ブロック図１２００は、様々な例による、ワイヤレス通信において使用するためのデバイス１２０５を示す。いくつかの例では、デバイス１２０５は、図１、図２、および／または図３に関して説明されたアクセスポイント１０５、２０５、３０５、および／またはＵＥ１１５、２１５、３１５の１つまたは複数の態様の一例であり得る。デバイス１２０５はまた、プロセッサであり得る。デバイス１２０５は、受信機モジュール１２１０、チャネル競合モジュール（channel contention module）１２２０、および／または送信機モジュール１２３０を含み得る。これらの構成要素の各々は互いと通信していることがある。
【００８９】
[0101]  デバイス１２０５の構成要素は、ハードウェアにおいて適用可能な機能の一部または全部を実施するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００９０】
[0102]  いくつかの例では、受信機モジュール１２１０は、認可スペクトル（たとえば、ＬＴＥスペクトル）および／または無認可無線周波数スペクトル帯域中で伝送を受信するように動作可能なＲＦ受信機などの無線周波数（ＲＦ）受信機であるか、またはそれを含み得る。受信機モジュール１２１０は、図１、図２、および／または図３に関して説明されたワイヤレス通信システム１００、２００、および／または３００の１つまたは複数の通信リンクなど、認可スペクトルと無認可無線周波数スペクトル帯域とを含むワイヤレス通信システムの１つまたは複数の通信リンクを介して、様々なタイプのデータおよび／または制御信号（すなわち、伝送）を受信するために使用され得る。
【００９１】
[0103]  いくつかの例では、送信機モジュール１２３０は、認可スペクトルおよび／または無認可無線周波数スペクトル帯域中で送信するように動作可能なＲＦ送信機などのＲＦ送信機であるか、またはそれを含み得る。送信機モジュール１２３０は、図１、図２、および／または図３に関して説明されたワイヤレス通信システム１００、２００、および／または３００の１つまたは複数の通信リンクなど、ワイヤレス通信システムの１つまたは複数の通信リンクを介して、様々なタイプのデータおよび／または制御信号（すなわち、伝送）を送信するために使用され得る。いくつかの例では、チャネル競合モジュール１２２０は、たとえば、図４〜図１１に関して上記で説明されたように、しきい値に対する、競合に勝った連続する送信期間の数の決定に従って、無線周波数スペクトル帯域の占有を放棄することを含む、ＣＣＡ手順を構成および／または実施し得る。
【００９２】
[0104]  次に図１２Ｂを参照すると、ブロック図１２５０は、様々な例による、ワイヤレス通信において使用するためのデバイス１２５５を示す。いくつかの例では、デバイス１２０５は、図１、図２、および／または図３に関して説明されたアクセスポイント１０５、２０５、３０５および／またはＵＥ１１５、２１５、３１５の１つまたは複数の態様の一例であり得る。デバイス１２０５はまた、プロセッサであり得る。デバイス１２５５は、受信機モジュール１２１２、チャネル競合モジュール１２６０、および／または送信機モジュール１２３２を含み得る。これらの構成要素の各々は互いに通信していることがある。
【００９３】
[0105]  デバイス１２５５の構成要素は、ハードウェアにおいて適用可能な機能の一部または全部を実施するように適応された１つまたは複数のＡＳＩＣとともに、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００９４】
[0106]  いくつかの例では、受信機モジュール１２１２は、図１２Ａの受信機モジュール１２１０の一例であり得る。受信機モジュール１２１２は、認可スペクトル（たとえば、ＬＴＥスペクトル）および／または無認可無線周波数スペクトル帯域中で伝送を受信するように動作可能なＲＦ受信機などの無線周波数（ＲＦ）受信機であるか、またはそれを含み得る。ＲＦ受信機は、認可スペクトルと無認可無線周波数スペクトル帯域とのために別個の受信機を含み得る。別個の受信機は、場合によっては、認可スペクトルモジュール１２１４と無認可スペクトルモジュール１２１６との形態をとり得る。認可スペクトルモジュール１２１４と無認可スペクトルモジュール１２１６とを含む、受信機モジュール１２１２は、図１、図２、および／または図３に関して説明されたワイヤレス通信システム１００、２００、および／または３００の１つまたは複数の通信リンクなど、認可スペクトルと無認可無線周波数スペクトル帯域とを含むワイヤレス通信システムの１つまたは複数の通信リンクを介して、様々なタイプのデータおよび／または制御信号（すなわち、伝送）を受信するために使用され得る。
【００９５】
[0107]  いくつかの例では、送信機モジュール１２３２は、図１２Ａの送信機モジュール１２３０の一例であり得る。送信機モジュール１２３２は、認可スペクトルおよび／または無認可無線周波数スペクトル帯域中で送信するように動作可能なＲＦ送信機などのＲＦ送信機であるか、またはそれを含み得る。ＲＦ送信機は、認可スペクトルと無認可無線周波数スペクトル帯域とのために別個の送信機を含み得る。別個の送信機は、場合によっては、認可スペクトルモジュール１２３４と無認可スペクトルモジュール１２３６との形態をとり得る。送信機モジュール１２３２は、図１、図２および／または図３に関して説明されたワイヤレス通信システム１００、２００および／または３００の１つまたは複数の通信リンクなど、ワイヤレス通信システムの１つまたは複数の通信リンクを介して、様々なタイプのデータおよび／または制御信号（すなわち、伝送）を送信するために使用され得る。
【００９６】
[0108]  チャネル競合モジュール１２６０は、図１２Ａに関して説明されたチャネル競合モジュール１２２０の一例であり得、非同期ＣＣＡ識別モジュール１２６５、送信決定モジュール１２７５、および／またはしきい値調整モジュール１２８０を含み得る。これらの構成要素の各々は互いに通信していることがある。
【００９７】
[0109]  いくつかの例では、非同期ＣＣＡ識別モジュール１２６５は、デバイス１２５５に対して非同期送信期間とともに送信中であり得る１つまたは複数の他の事業者が存在するかどうかを決定し得る。非同期ＣＣＡ識別モジュール１２６５は、たとえば、非同期事業者からの１つまたは複数の信号について監視し、および／または１つまたは複数の非同期事業者が存在することを示すシグナリングを受信し得る。非同期ＣＣＡ識別モジュール１２６５は、いくつかの例では、たとえば、図４〜図１１に関して上記で説明されたように、他の非同期事業者の数、１つまたは複数の非同期事業者が送信のためにバッファしているデータの量を決定し、および／または他の非同期ノードの識別に関係する機能を実施し得る。
【００９８】
[0110]  いくつかの例では、送信決定モジュール１２８０は、デバイス１２５５が、しきい値数の連続する送信期間に等しいかまたはそれよりも大きくなり得る送信期間についての競合に勝ったという決定と、したがって、デバイス１２５５が送信を送るのを続けるべきか、ある時間期間の間、無線周波数スペクトル帯域の占有を放棄すべきかの決定とを行い得る。しきい値数の連続する送信期間は、デバイス１２５５が属する協調ノードのセットのいずれかのノードが競合に勝った送信期間に対応し得る。いずれの場合も、そのような決定に続いて、デバイス１２５５は、たとえば、図４〜図１１に関して上記で説明されたように、無線周波数スペクトル帯域の占有を放棄し、送信決定モジュール１２８０によって識別される１つまたは複数の後続の送信期間においていくつかのブランクサブフレームを有し得る。しきい値調整モジュール１２８０は、いくつかの例では、非同期ＣＣＡ識別モジュール１２６５および／または送信決定モジュール１２７５によって使用され得る１つまたは複数のしきい値レベルへの１つまたは複数の調整を行い得る。しきい値レベルは、たとえば、図４〜図１１に関して上記で説明されたように、競合に勝った連続する送信期間の数、他の非同期事業者の数、１つまたは複数の他の事業者によって送信されるべきデータの量、および／または任意の他のしきい値レベルに関係し得る。
【００９９】
[0111]  図１３は、本開示の態様による、基地局の設計を概念的に示すブロック図１３００である。いくつかの例では、基地局１３０５は、図１、図２、図３、図１２Ａ、および／または図１２Ｂに関して説明された基地局、ｅＮＢ、またはデバイス１０５、２０５、３０５、１２０５、および／または１２５５の１つまたは複数の態様の一例であり得る。基地局１３０５は、図１、図２、図３、図４Ａ、図４Ｂ、図５、図６、図７、図８、図９、図１０、図１１、図１２Ａ、および／または図１２Ｂに関して説明された１つまたは複数の非同期事業者の存在下の動作のための特徴および機能の少なくともいくつかを実装するように構成され得る。基地局１３０５は、プロセッサモジュール１３１０、メモリモジュール１３２０、（トランシーバモジュール１３５５によって表される）少なくとも１つのトランシーバモジュール、（アンテナ１３６０によって表される）少なくとも１つのアンテナ、および／または基地局無認可無線周波数スペクトル帯域モジュール１３７０を含み得る。基地局１３０５はまた、基地局通信モジュール１３３０およびネットワーク通信モジュール１３４０のうちの一方または両方を含み得る。これらの構成要素の各々は、１つまたは複数のバス１３３５を介して直接または間接的に互いに通信していることがある。
【０１００】
[0112]  メモリモジュール１３２０は、ランダムアクセスメモリ（ＲＡＭ）および／または読取り専用メモリ（ＲＯＭ）を含み得る。メモリモジュール１３２０は、実行されると、プロセッサモジュール１３１０に、ＣＣＡの実施および修正ＣＣＡまたは送信動作を含む、認可および／または無認可無線周波数スペクトル帯域においてＬＴＥベースの通信を使用するための本明細書で説明される様々な機能を実施させるように構成された命令を含んでいる、コンピュータ可読の、コンピュータ実行可能ソフトウェア（ＳＷ）コード１３２５を記憶し得る。代替的に、ソフトウェアコード１３２５は、プロセッサモジュール１３１０によって直接実行可能でないことがあるが、たとえば、コンパイルされ実行されると、基地局１３０５に本明細書で説明される機能のうちのいくつかを実施させるように構成され得る。
【０１０１】
[0113]  プロセッサモジュール１３１０は、インテリジェントハードウェアデバイス、たとえば、中央処理ユニット（ＣＰＵ）、マイクロコントローラ、ＡＳＩＣなどを含み得る。プロセッサモジュール１３１０は、（１つまたは複数の）トランシーバモジュール１３５５、基地局通信モジュール１３３０、および／またはネットワーク通信モジュール１３４０を通して受信された情報を処理し得る。プロセッサモジュール１３１０はまた、アンテナ１３６０を介した送信のためのトランシーバモジュール１３５５に、１つまたは複数の他の基地局または基地局１３０５−ａおよび１３０５−ｂへの送信のための基地局通信モジュール１３３０に、ならびに／あるいは図１に関して説明されたコアネットワーク１３０の態様の一例であり得るコアネットワーク１３４５への送信のためのネットワーク通信モジュール１３４０に送られるべき情報を処理し得る。プロセッサモジュール１３１０は、単独でまたは基地局無認可無線周波数スペクトル帯域モジュール１３７０とともに、上記で説明されたように、ＣＣＡの実施および送信期間中の送信を含む、認可および／または無認可無線周波数スペクトル帯域においてＬＴＥベース通信を使用する様々な態様を処理し得る。
【０１０２】
[0114]  トランシーバモジュール１３５５は、パケットを変調し、変調されたパケットを送信のためにアンテナ１３６０に与え、アンテナ１３６０から受信されたパケットを復調するように構成されたモデムを含み得る。トランシーバモジュール１３５５は、１つまたは複数の送信機モジュールおよび１つまたは複数の別個の受信機モジュールとして実装され得る。トランシーバモジュール１３５５は、少なくとも１つの認可スペクトル（たとえば、ＬＴＥスペクトル）中の、および少なくとも１つの無認可無線周波数スペクトル帯域中の通信をサポートし得る。トランシーバモジュール１３５５は、たとえば、図１、図２、および／または図３に関して説明されたＵＥまたはデバイス１１５、２１５、および／または３１５のうちの１つまたは複数と、アンテナ１３６０を介して、双方向に通信するように構成され得る。基地局１３０５は複数のアンテナ１３６０（たとえば、アンテナアレイ）を含み得る。基地局１３０５は、ネットワーク通信モジュール１３４０を介してコアネットワーク１３４５と通信し得る。基地局１３０５は、基地局通信モジュール１３３０を使用して、基地局１３０５−ａおよび１３０５−ｂなどの他の基地局または基地局と通信し得る。
【０１０３】
[0115]  図１３のアーキテクチャによれば、基地局１３０５は、通信管理モジュール１３５０をさらに含み得る。通信管理モジュール（communications management module）１３５０は、他の基地局、基地局、および／またはデバイスとの通信を管理し得る。通信管理モジュール１３５０は、１つまたは複数のバス１３３５を介して、基地局１３０５の他の構成要素の一部または全部と通信していることがある。代替的に、通信管理モジュール１３５０の機能は、トランシーバモジュール１３５５の構成要素として、コンピュータプログラム製品として、および／またはプロセッサモジュール１３１０の１つまたは複数のコントローラ要素として実装され得る。
【０１０４】
[0116]  基地局無認可無線周波数スペクトル帯域モジュール（base station unlicensed radio frequency spectrum band module）１３７０は、認可および／または無認可無線周波数スペクトル帯域においてＬＴＥベース通信を使用することに関係する図１、図２、図３、図４Ａ、図４Ｂ、図５、図６、図７、図８、図９、図１０、図１１、図１２Ａ、および／または図１２Ｂに関して説明された基地局機能または態様の一部または全部を実施および／または制御するように構成され得る。たとえば、基地局無認可無線周波数スペクトル帯域モジュール１３７０は、上記で説明したようなＣＣＡ手順および無線周波数スペクトル帯域送信をサポートするように構成され得る。基地局無認可無線周波数スペクトル帯域モジュール１３７０は、ＬＴＥ通信を処理するように構成されたＬＴＥモジュール１３７５、無認可無線周波数スペクトル帯域通信およびＣＣＡを処理するように構成されたＬＴＥ無認可モジュール１３８０、および／または無認可無線周波数スペクトル帯域における他の通信を処理するように構成された無認可モジュール１３８５を含み得る。基地局無認可無線周波数スペクトル帯域モジュール１３７０はまた、たとえば、図１、図２、図３、図４Ａ、図４Ｂ、図５、図６、図７、図８、図９、図１０、図１１、図１２Ａおよび／または図１２Ｂに関して説明されたＣＣＡ手順および無線周波数スペクトル帯域送信機能をサポートするように構成されたもののいずれかを提供するように構成されたＣＣＡモジュール１３９０を含み得る。ＣＣＡモジュール１３９０は、図１２Ａおよび／または図１２Ｂに関して説明された同様のモジュール（たとえば、モジュール１２２０および／またはモジュール１２６０）の一例であり得る。基地局無認可無線周波数スペクトル帯域モジュール１３７０またはそれの部分は、プロセッサを含み得、および／または基地局無認可無線周波数スペクトル帯域モジュール１３７０の機能の一部または全部は、プロセッサモジュール１３１０によっておよび／またはプロセッサモジュール１３１０に関連して実施され得る。
【０１０５】
[0117]  図１４は、本開示の態様による、ＵＥ１４１５の設計を概念的に示すブロック図１４００である。ＵＥ１４１５は、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなど含まれるか、またはそれらの一部であり得る。ＵＥ１４１５は、モバイル動作を可能にするために、小型バッテリーなどの内蔵電源（図示せず）を有し得る。いくつかの例では、ＵＥ１４１５は、図１、２および／または図３に関して説明されたＵＥまたはデバイス１１５、２１５、および／または３１５のうちの１つまたは複数の一例であり得る。ＵＥ１４１５は、図１、図２、図３、図１２Ａ、図１２Ｂ、および／または図１３に関して説明されたｅＮＢまたはデバイス１０５、２０５、３０５、１２０５、１２５５、および／または１４０５のうちの１つまたは複数と通信するように構成され得る。
【０１０６】
[0118]  ＵＥ１４１５は、プロセッサモジュール１４１０、メモリモジュール１４２０、（トランシーバモジュール１４７０によって表される）少なくとも１つのトランシーバモジュール、（アンテナ１４８０によって表される）少なくとも１つのアンテナ、および／またはＵＥ無認可無線周波数スペクトル帯域モジュール（UE unlicensed radio frequency spectrum band module）１４４０を含み得る。これらの構成要素の各々は、１つまたは複数のバス１４３５を介して直接または間接的に互いに通信していることがある。
【０１０７】
[0119]  メモリモジュール１４２０はＲＡＭおよび／またはＲＯＭを含み得る。メモリモジュール１４２０は、実行されると、プロセッサモジュール１４１０に、認可および／または無認可無線周波数スペクトル帯域においてＬＴＥベースの通信を使用するための本明細書で説明される様々な機能を実施させるように構成された命令を含んでいる、コンピュータ可読の、コンピュータ実行可能ソフトウェア（ＳＷ）コード１４２５を記憶し得る。代替的に、ソフトウェアコード１４２５は、プロセッサモジュール１４１０によって直接実行可能でないことがあるが、（たとえば、コンパイルされ実行されると）ＵＥ１４１５に本明細書で説明されるＵＥ機能のうちのいくつかを実施させるように構成され得る。
【０１０８】
[0120]  プロセッサモジュール１４１０は、インテリジェントハードウェアデバイス、たとえば、ＣＰＵ、マイクロコントローラ、ＡＳＩＣなどを含み得る。プロセッサモジュール１４１０は、トランシーバモジュール１４７０を通して受信された情報、および／またはアンテナ１４８０を介した送信のためにトランシーバモジュール１４７０に送られるべき情報を処理し得る。プロセッサモジュール１４１０は、単独でまたはＵＥ無認可無線周波数スペクトル帯域モジュール１４４０とともに、認可および／または無認可無線周波数スペクトル帯域においてＬＴＥベース通信を使用する様々な態様を処理し得る。
【０１０９】
[0121]  トランシーバモジュール１４７０は、ｅＮＢと双方向に通信するように構成され得る。トランシーバモジュール１４７０は、１つまたは複数の送信機モジュールおよび１つまたは複数の別個の受信機モジュールとして実装され得る。トランシーバモジュール１４７０は、少なくとも１つの認可スペクトル（たとえば、ＬＴＥスペクトル）中の、および少なくとも１つの無認可無線周波数スペクトル帯域中の通信をサポートし得る。トランシーバモジュール１４７０は、パケットを変調し、変調されたパケットを送信のためにアンテナ１４８０に与え、アンテナ１４８０から受信されたパケットを復調するように構成されたモデムを含み得る。ＵＥ１４１５は単一のアンテナを含み得るが、ＵＥ１４１５が複数のアンテナ１４８０を含み得る例があり得る。
【０１１０】
[0122]  図１４のアーキテクチャによれば、ＵＥ１４１５は通信管理モジュール１４３０をさらに含み得る。通信管理モジュール１４３０は、様々な基地局またはｅＮＢとの通信を管理し得る。通信管理モジュール１４３０は、１つまたは複数のバス１４３５を介してＵＥ１４１５の他の構成要素の一部または全部と通信しているＵＥ１４１５の構成要素であり得る。代替的に、通信管理モジュール１４３０の機能は、トランシーバモジュール１４７０の構成要素として、コンピュータプログラム製品として、および／またはプロセッサモジュール１４１０の１つまたは複数のコントローラ要素として実装され得る。
【０１１１】
[0123]  ＵＥ無認可無線周波数スペクトル帯域モジュール１４４０は、認可および／または無認可無線周波数スペクトル帯域においてＬＴＥベース通信を使用することに関係する図１、図２、図３、図４Ａ、図４Ｂ、図５、図６、図７、図８、図９、図１０、図１１、図１２Ａ、および／または図１２Ｂにおいて説明されたＵＥ無認可無線周波数スペクトル帯域機能または態様の一部または全部を実施および／または制御するように構成され得る。たとえば、ＵＥ無認可無線周波数スペクトル帯域モジュール１４４０は、チャネルアクセスを獲得するためにＣＣＡを実施し、ＣＣＡに勝ったしきい値数の連続する送信期間に基づいて無線周波数スペクトル帯域の占有を放棄するように構成され得る。ＵＥ無認可無線周波数スペクトル帯域モジュール１４４０は、ＬＴＥ通信を処理するように構成されたＬＴＥモジュール１４４５、無認可無線周波数スペクトル帯域通信を処理するように構成されたＬＴＥ無認可モジュール１４５０、および／または非同期ノード検出モジュール１４５５を含み得る。非同期ノード検出モジュール１４５５は、たとえば、他のノードからのＣＥＴ送信の監視を通して１つまたは複数の非同期ノードの存在を検出し、そのような情報を１つまたは複数の基地局に提供し得る。ＵＥ無認可無線周波数スペクトル帯域モジュール１４４０は、図１２Ａおよび／または図１２Ｂに関して説明された同様のモジュール（たとえば、モジュール１２２０および／またはモジュール１２６０）の一例であり得る。ＵＥ無認可無線周波数スペクトル帯域モジュール１４４０またはそれの部分は、プロセッサを含み得、および／またはＵＥ無認可無線周波数スペクトル帯域モジュール１４４０の機能の一部または全部は、プロセッサモジュール１４１０によっておよび／またはプロセッサモジュール１４１０に関連して実施され得る。
【０１１２】
[0124]  図１５は、本開示の態様による、ＵＥ１５１５および基地局１５０５の一例を概念的に示すブロック図である。基地局１５０５およびＵＥ１５１５は、通信システム１５００の一部分であり得る。この通信システム１５００は、図１のワイヤレス通信システム１００、図２の２００、および／または図３の３００の態様を示し得る。たとえば、基地局１５０５は、図１〜図３および／または図１３に関して上記で説明されたアクセスポイント、基地局、またはアクセスポイント１０５、２０５、３０５、および／または１３０５のうちの１つまたは複数の一例であり得、ＵＥ１５１５は、図１〜図３および／または図１４に関して上記で説明されたＵＥ１１５、２１５、３１５、および／または１４１５のうちの１つまたは複数の一例であり得る。
【０１１３】
[0125]  基地局１５０５は基地局アンテナ１５３４−１〜１５３４−ｘを装備し得、ここでｘは正の整数であり、ＵＥ１５１５はＵＥアンテナ１５５２−１〜１５５２−ｎを装備し得る。通信システム１５００において、基地局１５０５は、複数の通信リンクを介して同時にデータを送ることが可能であり得る。各通信リンクは「レイヤ（layer）」と呼ばれることがあり、通信リンクの「ランク（rank）」は、通信に使用されるレイヤの数を示し得る。たとえば、基地局１５０５が２つの「レイヤ」を送信する２×２ＭＩＭＯシステムでは、基地局１５０５とＵＥ１５１５との間の通信リンクのランクは２である。
【０１１４】
[0126]  基地局１５０５において、基地局送信プロセッサ１５２０は、基地局データソースからデータを受信し、基地局プロセッサ１５４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。基地局送信プロセッサ１５２０は、データと制御情報とを処理（たとえば、符号化およびシンボルマッピング）して、それぞれデータシンボルと制御シンボルとを取得し得る。基地局送信プロセッサ１５２０はまた、たとえば、ＰＳＳ、ＳＳＳ、およびセル固有基準信号のための基準シンボルを生成し得る。基地局送信（ＴＸ）ＭＩＭＯプロセッサ１５３０は、適用可能な場合、データシンボル、制御シンボル、および／または基準シンボルに対して空間処理（たとえば、プリコーディング）を実施し得、出力シンボルストリームを基地局送信変調器１５３２−１〜１５３２−ｘに与え得る。各基地局変調器１５３２は、（たとえば、ＯＦＤＭなどのために）それぞれの出力シンボルストリームを処理して、出力サンプルストリームを取得し得る。各基地局変調器１５３２は、出力サンプルストリームをさらに処理（たとえば、アナログへの変換、増幅、フィルタ処理、およびアップコンバート）して、ダウンリンク（ＤＬ）信号を取得し得る。一例では、基地局変調器１５３２−１〜１５３２−ｘからのＤＬ信号は、それぞれ基地局アンテナ１５３４−１〜１５３４−ｘを介して送信され得る。
【０１１５】
[0127]  ＵＥ１５１５において、ＵＥアンテナ１５５２−１〜１５５２−ｎは、基地局１５０５からＤＬ信号を受信し得、受信信号をそれぞれＵＥ復調器１５５４−１〜１５５４−ｎに与え得る。各ＵＥ復調器１５５４は、それぞれの受信信号を調整（たとえば、フィルタ処理、増幅、ダウンコンバート、およびデジタル化）して、入力サンプルを取得し得る。各ＵＥ復調器１５５４は、（たとえば、ＯＦＤＭなどのために）入力サンプルをさらに処理して、受信シンボルを取得し得る。ＵＥ ＭＩＭＯ検出器１５５６は、すべての復調器１５５４−１〜１５５４−ｎから受信シンボルを取得し、適用可能な場合、受信シンボルに対してＭＩＭＯ検出を実施し、検出シンボルを与え得る。ＵＥ受信（Ｒｘ）プロセッサ１５５８は、検出シンボルを処理（たとえば、復調、デインターリーブ、および復号）し、ＵＥ１５１５のための復号データをデータ出力に与え、復号された制御情報をＵＥプロセッサ１５８０、またはＵＥメモリ１５８２に与え得る。
【０１１６】
[0128]  アップリンク（ＵＬ）上で、ＵＥ１５１５において、ＵＥ送信プロセッサ１５６４は、ＵＥデータソースからデータを受信し、処理し得る。ＵＥ送信プロセッサ１５６４はまた、基準信号のための基準シンボルを生成し得る。ＵＥ送信プロセッサ１５６４からのシンボルは、適用可能な場合、ＵＥ送信ＭＩＭＯプロセッサ１５６６によってプリコーディングされ、さらに（たとえば、ＳＣ−ＦＤＭＡなどのために）ＵＥ復調器１５５４−ａ〜１５５４−ｎによって処理され、基地局１５０５から受信された送信パラメータに従って基地局１５０５に送信され得る。基地局１５０５において、ＵＥ１５１５からのＵＬ信号は、基地局アンテナ１５３４によって受信され、基地局変調器１５３２によって処理され、適用可能な場合は基地局ＭＩＭＯ検出器１５３６によって検出され、さらに基地局受信プロセッサによって処理され得る。基地局受信プロセッサ１５３８は、復号データを基地局データ出力と基地局プロセッサ１５４０とに与え得る。ＵＥ１５１５の構成要素は、個別にまたは集合的に、ハードウェア中で適用可能な機能の一部または全部を実施するために適応された１つまたは複数の特定用途向け集積回路（ＡＳＩＣ）を用いて実装され得る。言及されたモジュールの各々は、通信システム１５００の動作に関係する１つまたは複数の機能を実施するための手段であり得る。同様に、基地局１５０５の構成要素は、個別にまたは集合的に、ハードウェアで適用可能な機能の一部または全部を実施するために適応された１つまたは複数の特定用途向け集積回路（ＡＳＩＣ）を用いて実装され得る。言及された構成要素の各々は、通信システム１５００の動作に関係する１つまたは複数の機能を実施するための手段であり得る。
【０１１７】
[0129]  様々な開示される例のうちのいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ）レイヤにおける通信はＩＰベースであり得る。無線リンク制御（ＲＬＣ）レイヤは、論理チャネルを介して通信するために、パケットセグメンテーションとリアセンブリとを実施し得る。媒体アクセス制御（ＭＡＣ）レイヤは、優先度処理と、トランスポートチャネルへの論理チャネルの多重化とを実施し得る。ＭＡＣレイヤはまた、リンク効率を改善するために、ＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【０１１８】
[0130]  一例では、基地局１５０５および／またはＵＥ１５１５は、複数の非同期事業者によって共有される無線周波数スペクトル帯域内で１つまたは複数の送信期間について競合するために１つまたは複数のＣＣＡ手順を実施するための手段と、無線周波数スペクトル帯域内で１つまたは複数の送信期間についての競合に勝つための手段と、競合に勝った１つまたは複数の送信期間が、しきい値数の連続する送信期間に等しいかまたはそれよりも大きいかどうかを決定するための手段と、競合に勝った１つまたは複数の送信期間が、しきい値数の連続する送信期間に等しいかまたはそれよりも大きいかどうかの決定に基づいて、ある時間期間の間、無線周波数スペクトル帯域の占有を放棄するための手段とを含み得る。一態様では、上述の手段は、上述の手段によって具陳される機能を実施するように構成された基地局１５０５の基地局プロセッサ１５４０、基地局メモリ１５４２、基地局送信プロセッサ１５２０、基地局受信機プロセッサ１５３８、基地局変調器１５３２、および基地局アンテナ１５３４であり得る。別の態様では、上述の手段は、上述の手段によって具陳される機能を実施するように構成されたＵＥ１５１５のＵＥプロセッサ１５８０、ＵＥメモリ１５８２、ＵＥ送信プロセッサ１５６４、ＵＥ受信機プロセッサ１５５８、ＵＥ復調器１５５４、およびＵＥアンテナ１５５２であり得る。
【０１１９】
[0131]  図１６は、本開示の態様による、ワイヤレス通信の方法の一例を概念的に示すフローチャート１６００である。明快のために、方法１６００について、図１、図２、図３、図１２Ａ、図１２Ｂ、図１３、図１４、および／または図１５に関して説明されたＵＥ、ｅＮＢ、基地局、またはデバイス１０５、１１５、２０５、２１５、３０５、３１５、１２０５、１２５５、１３０５、１４１５、１５０５および／または１５１５のうちの１つに関して以下で説明される。一例では、ＵＥ、基地局、またはデバイスは、以下で説明される機能を実施するためにＵＥ、基地局、またはデバイスの機能要素を制御するためのコードの１つまたは複数のセットを実行し得る。
【０１２０】
[0132]  ブロック１６０５において、複数の非同期事業者によって共有される無線周波数スペクトル帯域内で１つまたは複数の送信期間について競合するために１つまたは複数のＣＣＡ手順が実施される。ブロック１６０５における動作は、場合によっては、図１２Ａおよび／または図１２Ｂに関して説明された他の構成要素に関連するチャネル競合モジュール１２２０および／または１２６０、図１３に関して説明された他の構成要素に関連する基地局無認可無線周波数スペクトル帯域モジュール１３７０、図１４に関して説明された他の構成要素に関連するＵＥ無認可無線周波数スペクトル帯域モジュール１４４０、および／または図１５に関して説明された構成要素に関連するプロセッサ１５４０もしくは１５８０を使用して実施され得る。
【０１２１】
[0133]  ブロック１６１０において、無線周波数スペクトル帯域内で１つまたは複数の送信期間についての競合に勝ったと決定される。ブロック１６１０における動作は、場合によっては、図１２Ａおよび／または図１２Ｂに関して説明されたチャネル競合モジュール１２２０および／または１２６０、図１３に関して説明された基地局無認可無線周波数スペクトル帯域モジュール１３７０、図１４に関して説明されたＵＥ無認可無線周波数スペクトル帯域モジュール１４４０、および／または図１５に関して説明された構成要素に関連するプロセッサ１５４０もしくは１５８０を使用して実施され得る。
【０１２２】
[0134]  ブロック１６１５において、競合に勝った１つまたは複数の送信期間が、しきい値数の連続する送信期間に等しいかまたはそれよりも大きいかどうかが決定される。ブロック１６１５における動作は、場合によっては、図１２Ａおよび／または図１２Ｂに関して説明されたチャネル競合モジュール１２２０および／または１２５５、図１３に関して説明された基地局無認可無線周波数スペクトル帯域モジュール１３７０、図１４に関して説明されたＵＥ無認可無線周波数スペクトル帯域モジュール１４４０、および／または図１５に関して説明された構成要素に関連するプロセッサ１５４０もしくは１５８０を使用して実施され得る。
【０１２３】
[0135]  ブロック１６２０において、競合に勝った１つまたは複数の送信期間が、しきい値数の連続する送信期間に等しいかまたはそれよりも大きいかどうかの決定に基づいて、ある時間期間の間、（たとえば、無線周波数スペクトル帯域上での競合手順および／または送信／受信を停止することによって）無線周波数スペクトル帯域の占有が放棄される。ブロック１６２０における動作は、場合によっては、図１２Ａおよび／または図１２Ｂに関して説明されたチャネル競合モジュール１２２０および／または１２５５、図１３に関して説明された基地局無認可無線周波数スペクトル帯域モジュール１３７０、図１４に関して説明されたＵＥ無認可無線周波数スペクトル帯域モジュール１４４０、および／または図１５に関して説明された構成要素に関連するプロセッサ１５４０もしくは１５８０を使用して実施され得る。
【０１２４】
[0136]  このようにして、方法１６００は、競合ベースのアクセスプロトコルに従って無線周波数スペクトル帯域チャネルへのアクセスにおける公平性を提供するために、競合ベースのチャネルアクセス手順が、１つまたは複数の非同期事業者の存在に適応するように修正され得る、ワイヤレス通信を提供し得る。方法１６００は一実装形態にすぎず、方法１６００の動作は、他の実装形態が可能であるように並べ替えられ、または場合によっては修正され得ることに留意されたい。
【０１２５】
[0137]  図１７は、本開示の態様による、ワイヤレス通信の方法の一例を概念的に示すフローチャート１７００である。明快のために、方法１７００について、図１、図２、図３、図１２Ａ、図１２Ｂ、図１３、図１４、および／または図１５に関して説明されたＵＥ、ｅＮＢ、基地局、またはデバイス１０５、１１５、２０５、２１５、３０５、３１５、１２０５、１２５５、１３０５、１４１５、１５０５および／または１５１５のうちの１つに関して以下で説明される。一例では、ＵＥ、基地局、またはデバイスは、以下で説明される機能を実施するためにＵＥ、基地局、またはデバイスの機能要素を制御するためのコードの１つまたは複数のセットを実行し得る。
【０１２６】
[0138]  ブロック１７０５において、しきい値数の非同期事業者が１つまたは複数の送信期間中に無線周波数スペクトル帯域について競合していると決定される。いくつかの例では、そのような決定は、１つまたは複数の非同期事業者の送信の監視を通して、および／または１つまたは複数の非同期事業者に関係する情報をもつシグナリングの受信を通して行われ得る。いくつかの例では、非同期事業者のしきい値数は１である。ブロック１７０５における動作は、場合によっては、図１２Ａおよび／または図１２Ｂに関して説明された他の構成要素に関連するチャネル競合モジュール１２２０および／または１２６０、図１３に関して説明された他の構成要素に関連する基地局無認可無線周波数スペクトル帯域モジュール１３７０、図１４に関して説明された他の構成要素に関連するＵＥ無認可無線周波数スペクトル帯域モジュール１４４０、および／または図１５に関して説明された構成要素に関連するプロセッサ１５４０もしくは１５８０を使用して実施され得る。
【０１２７】
[0139]  ブロック１７１０において、しきい値数の連続する送信期間に等しいかまたはそれよりも大きいいくつかの送信期間についての競合に勝ったかどうかが決定される。送信期間のしきい値数は、たとえば、他の非同期事業者の数、１つまたは複数の他の非同期事業者におけるバッファされたデータの量に基づいて、および／またはシグナリングもしくはプリセットされたしきい値に基づいて決定され得る。ブロック１７１０における動作は、場合によっては、図１２Ａおよび／または図１２Ｂに関して説明されたチャネル競合モジュール１２２０および／または１２５５、図１３に関して説明された基地局無認可無線周波数スペクトル帯域モジュール１３７０、図１４に関して説明されたＵＥ無認可無線周波数スペクトル帯域モジュール１４４０、および／または図１５に関して説明された構成要素に関連するプロセッサ１５４０もしくは１５８０を使用して実施され得る。
【０１２８】
[0140]  ブロック１７１５において、事業者のしきい値数と、競合に勝った連続する送信期間の数との決定に応答して、ある時間期間の間、送信が停止され得る。ブロック１７１０における動作は、場合によっては、図１２Ａおよび／または図１２Ｂに関して説明されたチャネル競合モジュール１２２０および／または１２５５、図１３に関して説明された基地局無認可無線周波数スペクトル帯域モジュール１３７０、図１４に関して説明されたＵＥ無認可無線周波数スペクトル帯域モジュール１４４０、および／または図１５に関して説明された構成要素に関連するプロセッサ１５４０もしくは１５８０を使用して実施され得る。
【０１２９】
[0141]  このようにして、方法１７００は、競合ベースのアクセスプロトコルに従って無線周波数スペクトル帯域チャネルへのアクセスにおける公平性を提供するために、競合ベースのチャネルアクセス手順が、１つまたは複数の非同期事業者の存在に適応するように修正され得る、ワイヤレス通信を提供し得る。方法１７００は一実装形態にすぎず、方法１７００の動作は、他の実装形態が可能であるように並べ替えられ、または場合によっては修正され得ることに留意されたい。
【０１３０】
[0142]  図１８は、本開示の態様による、ワイヤレス通信の方法の一例を概念的に示すフローチャート１８００である。明快のために、方法１８００について、図１、図２、図３、図１２Ａ、図１２Ｂ、図１３、および／または図１５に関して説明されたｅＮＢ、基地局、またはデバイス１０５、２０５、３０５、１２０５、１２５５、１３０５、および／または１５０５のうちの１つに関して以下で説明される。一例では、基地局、またはデバイスは、以下で説明される機能を実施するために基地局、またはデバイスの機能要素を制御するためのコードの１つまたは複数のセットを実行し得る。
【０１３１】
[0143]  ブロック１８０５において、１つまたは複数の他のノードからの送信が監視される。ブロック１８０５における動作は、場合によっては、図１２Ａおよび／または図１２Ｂに関して説明された他の構成要素に関連するチャネル競合モジュール１２２０および／または１２６０、図１３に関して説明された他の構成要素に関連する基地局無認可無線周波数スペクトル帯域モジュール１３７０、および／または図１５に関して説明された構成要素に関連する基地局プロセッサ１５４０を使用して実施され得る。
【０１３２】
[0144]  随意のブロック１８１０において、ユーザ機器は、１つまたは複数のノードから送信されるＣＥＴ信号または他の信号について監視し、ＣＥＴ信号からの識別された情報を報告するように構成され得る。ブロック１８１０における動作は、場合によっては、図１２Ａおよび／または図１２Ｂに関して説明された他の構成要素に関連するチャネル競合モジュール１２２０および／または１２６０、図１３に関して説明された他の構成要素に関連する基地局無認可無線周波数スペクトル帯域モジュール１３７０、および／または図１５に関して説明された構成要素に関連するプロセッサ１５４０を使用して実施され得る。
【０１３３】
[0145]  ブロック１８１５において、１つまたは複数のノードからＣＥＴ信号が受信され、および／またはＣＥＴ信号に関係する１つまたは複数のＵＥから情報が受信される。上記で説明されたように、ＣＥＴ信号は、いくつかの例によれば、１つまたは複数の非同期ノードの存在の指示を提供し得、また、ノードに関係する情報と、ノードから送信されるべきであるバッファされたデータとを提供し得る。ブロック１８１５における動作は、場合によっては、図１２Ａおよび／または図１２Ｂに関して説明された他の構成要素に関連するチャネル競合モジュール１２２０および／または１２６０、図１３に関して説明された他の構成要素に関連する基地局無認可無線周波数スペクトル帯域モジュール１３７０、および／または図１５に関して説明された構成要素に関連するプロセッサ１５４０を使用して実施され得る。
【０１３４】
[0146]  ブロック１８２０において、無線周波数スペクトル帯域の占有を放棄する前に、１つまたは複数のノードから受信された信号に少なくとも部分的に基づいて、および／またはＣＥＴ信号に関係する１つまたは複数のＵＥから受信された情報に少なくとも部分的に基づいて、連続する送信期間のしきい値数に対する調整が行われる。ブロック１８２０における動作は、場合によっては、図１２Ａおよび／または図１２Ｂに関して説明されたチャネル競合モジュール１２２０および／または１２５５、図１３に関して説明された基地局無認可無線周波数スペクトル帯域モジュール１３７０、および／または図１５に関して説明された構成要素に関連するプロセッサ１５４０を使用して実施され得る。
【０１３５】
[0147]  このようにして、方法１８００は、競合ベースのアクセスプロトコルに従って無線周波数スペクトル帯域チャネルへのアクセスにおける公平性を提供するために、競合ベースのチャネルアクセス手順が、１つまたは複数の非同期事業者の存在に適応するように修正され得る、ワイヤレス通信を提供し得る。方法１８００は一実装形態にすぎず、方法１８００の動作は、他の実装形態が可能であるように並べ替えられ、または場合によっては修正され得ることに留意されたい。
【０１３６】
[0148]  図１９は、本開示の態様による、ワイヤレス通信の方法の一例を概念的に示すフローチャート１９００である。明快のために、方法１９００について、図１、図２、図３、図１２Ａ、図１２Ｂ、図１３、図１４、および／または図１５に関して説明されたＵＥ、ｅＮＢ、基地局、またはデバイス１０５、１１５、２０５、２１５、３０５、３１５、１２０５、１２５５、１３０５、１４１５、１５０５および／または１５１５のうちの１つに関して以下で説明される。一例では、ＵＥ、基地局、またはデバイスは、以下で説明される機能を実施するためにＵＥ、基地局、またはデバイスの機能要素を制御するためのコードの１つまたは複数のセットを実行し得る。
【０１３７】
[0149]  ブロック１９０５において、１つまたは複数の他のノードからの送信について無線周波数スペクトル帯域が監視される。ブロック１９０５における動作は、場合によっては、図１２Ａおよび／または図１２Ｂに関して説明された他の構成要素に関連するチャネル競合モジュール１２２０および／または１２６０、図１３に関して説明された他の構成要素に関連する基地局無認可無線周波数スペクトル帯域モジュール１３７０、図１４に関して説明された他の構成要素に関連するＵＥ無認可無線周波数スペクトル帯域モジュール１４４０、および／または図１５に関して説明された構成要素に関連するプロセッサ１５４０もしくは１５８０を使用して実施され得る。
【０１３８】
[0150]  ブロック１９１０において、１つまたは複数の他のノードからの送信が検出されたかどうかが決定される。いくつかの例によれば、送信は、１つまたは複数の非同期ノードについて監視され得る。たとえば、ＷｉＦｉ（登録商標）事業者からの送信が検出された場合、ＷｉＦｉノードは協調様式で動作しないことがあり、したがって、そのようなデバイスのための監視間隔を調整しても、そのようなＷｉＦｉノードが無線周波数スペクトル帯域にアクセスする能力が実質的に向上しないことがあるので、そのような送信は、ブロック１９１０の決定のための検出された送信であると見なされないことがある。ブロック１９１０における動作は、場合によっては、図１２Ａおよび／または図１２Ｂに関して説明された他の構成要素に関連するチャネル競合モジュール１２２０および／または１２６０、図１３に関して説明された他の構成要素に関連する基地局無認可無線周波数スペクトル帯域モジュール１３７０、図１４に関して説明された他の構成要素に関連するＵＥ無認可無線周波数スペクトル帯域モジュール１４４０、および／または図１５に関して説明された構成要素に関連するプロセッサ１５４０もしくは１５８０を使用して実施され得る。
【０１３９】
[0151]  ブロック１９１０において、送信が検出されないと決定された場合、ブロック１９１５に示されるように、送信についての監視の間の連続する送信期間の数が増加される。そのような送信の不在は、無線周波数スペクトル帯域にアクセスすることを試みている非同期事業者が不在であることを示し得、したがって、無線周波数スペクトル帯域の使用をさらに向上させるために、連続する送信の数は増加され得る。ブロック１９１０における動作は、場合によっては、図１２Ａおよび／または図１２Ｂに関して説明されたチャネル競合モジュール１２２０および／または１２５５、図１３に関して説明された基地局無認可無線周波数スペクトル帯域モジュール１３７０、図１４に関して説明されたＵＥ無認可無線周波数スペクトル帯域モジュール１４４０、および／または図１５に関して説明された構成要素に関連するプロセッサ１５４０もしくは１５８０を使用して実施され得る。
【０１４０】
[0152]  ブロック１９１０において、送信が検出されないと決定された場合、ブロック１９２０に示されるように、送信についての監視の間の連続する送信期間の数が減少される。送信の存在は、無線周波数スペクトル帯域にアクセスすることを試みている他の非同期事業者が存在することを示し得、したがって、無線周波数スペクトル帯域の使用についての事業者間の公平性をさらに向上させるために、連続する送信の数は減少され得る。ブロック１９２０における動作は、場合によっては、図１２Ａおよび／または図１２Ｂに関して説明されたチャネル競合モジュール１２２０および／または１２５５、図１３に関して説明された基地局無認可無線周波数スペクトル帯域モジュール１３７０、図１４に関して説明されたＵＥ無認可無線周波数スペクトル帯域モジュール１４４０、および／または図１５に関して説明された構成要素に関連するプロセッサ１５４０もしくは１５８０を使用して実施され得る。
【０１４１】
[0153]  このようにして、方法１９００は、競合ベースのアクセスプロトコルに従って無線周波数スペクトル帯域チャネルへのアクセスにおける公平性を提供するために、競合ベースのチャネルアクセス手順が、１つまたは複数の非同期事業者の存在に適応するように修正され得る、ワイヤレス通信を提供し得る。方法１９００は一実装形態にすぎず、方法１９００の動作は、他の実装形態が可能であるように並べ替えられ、または場合によっては修正され得ることに留意されたい。
【０１４２】
[0154]  添付の図面に関して上記に記載された詳細な説明は、例示的な例について説明しており、実装され得るかまたは特許請求の範囲内に入る唯一の例を表すものではない。この説明全体にわたって使用される「例示的」という用語は、「例、事例、または例示の働きをすること」を意味し、「好ましい」または「他の例よりも有利な」を意味しない。発明を実施するための形態は、説明された技法の理解を与えるために、具体的な詳細を含む。ただし、これらの技法は、これらの具体的な詳細なしに実施され得る。いくつかの事例では、説明された例の概念を不明瞭にすることを避けるために、よく知られている構造およびデバイスがブロック図の形態で示されている。
【０１４３】
[0155]  情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４４】
[0156]  本明細書の開示に関連して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタロジック、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していることがあり、メモリは、プロセッサによって実行可能な命令を記憶する。
【０１４５】
[0157]  本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、コンピュータ可読媒体上に記憶されるか、またはコンピュータ可読媒体を介して１つまたは複数の命令もしくはコードとして送信され得る。他の例および実装形態は、本開示および添付の特許請求の範囲および趣旨内にある。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の一部が異なる物理的な場所に実装されるように分散されることを含む、様々な位置に物理的に配置され得る。また、特許請求の範囲を含めて、本明細書で使用されるとき、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１４６】
[0158]  コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１４７】
[0159]  本開示の先の説明は、当業者が本開示を作製または使用することを可能にするために提供される。本開示への様々な変更は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書において説明された例および設計に限定されるべきでなく、本明細書において開示される原理および新規の特徴に合致する最も広い範囲を与えられるべきである。
以下に本願発明の当初の特許請求の範囲に記載された発明を付記する。
［Ｃ１］複数の非同期事業者によって共有される第１の無線周波数スペクトル帯域内で１つまたは複数の送信期間について競合するために１つまたは複数のクリアチャネルアセスメント（ＣＣＡ）手順を実施することと、前記第１の無線周波数スペクトル帯域内で前記１つまたは複数の送信期間についての前記競合に勝つことと、競合に勝った前記１つまたは複数の送信期間が、しきい値数の連続する送信期間に等しいかまたはそれよりも大きいかどうかを決定することと、競合に勝った前記１つまたは複数の送信期間が、しきい値数の連続する送信期間に等しいかまたはそれよりも大きいかどうかの前記決定に基づいて、ある時間期間の間、前記第１の無線周波数スペクトル帯域の占有を放棄することとを備える、ワイヤレス通信のための方法。
［Ｃ２］前記第１の無線周波数スペクトル帯域の占有を放棄することが、前記時間期間の間、ＣＣＡ手順を停止すること、送信を停止すること、または受信を停止することのうちの少なくとも１つを備える、Ｃ１に記載の方法。
［Ｃ３］しきい値数の非同期事業者が前記１つまたは複数の送信期間中に前記第１の無線周波数スペクトル帯域について競合しているかどうかを決定することをさらに備え、そこにおいて、前記第１の無線周波数スペクトル帯域の占有を放棄する前記時間期間は、前記しきい値数の非同期事業者が前記第１の無線周波数スペクトル帯域について競合しているという前記決定に少なくとも部分的に基づく、Ｃ１に記載の方法。
［Ｃ４］前記しきい値よりも少ない数の非同期事業者が前記１つまたは複数の送信期間中に前記第１の無線周波数スペクトル帯域について競合しているという前記決定に少なくとも部分的に基づいて、前記第１の無線周波数スペクトル帯域の占有の前記放棄を中止することをさらに備える、Ｃ３に記載の方法。
［Ｃ５］前記しきい値数の非同期事業者が前記第１の無線周波数スペクトル帯域について競合しているかどうかを決定することが、１つまたは複数の他の非同期事業者からの送信について監視することを備える、Ｃ３に記載の方法。
［Ｃ６］前記監視することが、前記第１の無線周波数スペクトル帯域の占有の前記放棄の前記時間期間中に前記１つまたは複数の他の非同期事業者からの１つまたは複数のＣＣＡ免除送信（ＣＥＴ）信号について監視することを備える、Ｃ５に記載の方法。
［Ｃ７］前記監視することが、前記１つまたは複数の他の非同期事業者から前記１つまたは複数のＣＥＴ信号を受信することと、前記第１の無線周波数スペクトル帯域の占有を放棄することより前に、前記しきい値数の連続する送信期間を調整することをさらに備える、Ｃ６に記載の方法。
［Ｃ８］前記監視することが、前記１つまたは複数の他の非同期事業者からの前記１つまたは複数のＣＥＴ信号について監視することと、前記１つまたは複数のＣＥＴ信号からの識別された情報を報告することとを行うようにユーザ機器を構成することをさらに備える、Ｃ６に記載の方法。
［Ｃ９］しきい値数の非同期事業者が前記無線周波数スペクトル帯域について競合しているかどうかを決定することが、ユーザ機器またはＸ２通信リンクのうちの１つまたは複数を介して前記１つまたは複数の非同期事業者を識別する情報を受信することを備える、Ｃ３に記載の方法。
［Ｃ１０］前記連続する送信期間のしきい値数が、前記１つまたは複数の送信期間中に前記無線周波数スペクトル帯域について競合するためにＣＣＡ手順を実施している非同期事業者の数、あるいは前記複数の非同期事業者のうちの１つにおけるデータバックログの量
のうちの１つまたは複数に基づいて決定される、Ｃ１に記載の方法。
［Ｃ１１］前記複数の非同期事業者のうちの前記１つからの送信について前記第１の無線周波数スペクトル帯域の占有の放棄の前記時間期間中に前記第１の無線周波数スペクトル帯域を監視することと、前記複数の非同期事業者のうちの前記１つからの前記送信がない場合、前記連続する送信期間のしきい値数を増加させることと、前記複数の非同期事業者のうちの前記１つからの前記送信が検出されたとき、前記連続する送信期間のしきい値数を減少させることとをさらに備える、Ｃ１０に記載の方法。
［Ｃ１２］前記１つまたは複数のＣＣＡ手順のうちのＣＣＡ手順が、協調ノードのセットの間で第１の競合期間中に実施され、ここにおいて、前記しきい値数の連続する送信期間についての競合に勝ったと決定することは、前記しきい値数の連続する送信期間について協調ノードの前記セットのうちの１つまたは複数のノードが競合に勝ったと決定することを備える、Ｃ１に記載の方法。
［Ｃ１３］前記第１の無線周波数スペクトル帯域の占有の前記放棄の前記時間期間中に第２の無線周波数スペクトル帯域を占有することをさらに備える、Ｃ１に記載の方法。
［Ｃ１４］複数の非同期事業者によって共有される無線周波数スペクトル帯域内で１つまたは複数の送信期間について競合するために１つまたは複数のクリアチャネルアセスメント（ＣＣＡ）手順を実施するための手段と、前記無線周波数スペクトル帯域内で前記１つまたは複数の送信期間についての競合に勝ったことを識別するための手段と、競合に勝った前記１つまたは複数の送信期間が、しきい値数の連続する送信期間に等しいかまたはそれよりも大きいかどうかを決定するための手段と、競合に勝った前記１つまたは複数の送信期間が、しきい値数の連続する送信期間に等しいかまたはそれよりも大きいかどうかの前記決定に基づいて、ある時間期間の間、前記無線周波数スペクトル帯域の占有を放棄するための手段とを備える、ワイヤレス通信のための装置。
［Ｃ１５］しきい値数の非同期事業者が前記送信期間のうちの１つまたは複数中に前記無線周波数スペクトル帯域について競合しているかどうかを決定するための手段をさらに備え、ここにおいて、前記無線周波数スペクトル帯域の占有を放棄する前記時間期間は、しきい値数の非同期事業者が前記無線周波数スペクトル帯域について競合しているという前記決定に少なくとも部分的に基づく、Ｃ１４に記載の装置。
［Ｃ１６］前記しきい値よりも少ない数の非同期事業者が１つまたは複数の送信期間中に前記無線周波数スペクトル帯域について競合しているという前記決定に少なくとも部分的に基づいて、前記無線周波数スペクトル帯域の占有の前記放棄を中止するための手段をさらに備える、Ｃ１５に記載の装置。
［Ｃ１７］前記連続する送信期間のしきい値数が、送信期間中に前記無線周波数スペクトル帯域について競合するためにＣＣＡ手順を実施している非同期事業者の数、または前記複数の非同期事業者のうちの１つにおけるデータバックログの量のうちの１つまたは複数に基づいて決定される、Ｃ１４に記載の装置。
［Ｃ１８］前記複数の非同期事業者のうちの前記１つからの送信について前記無線周波数スペクトル帯域の占有の放棄の前記時間期間中に前記無線周波数スペクトル帯域を監視するための手段と、前記複数の非同期事業者のうちの前記１つからの送信がない場合、前記連続する送信期間のしきい値数を増加させるための手段と、前記複数の非同期事業者のうちの１つからの送信が検出されたとき、前記連続する送信期間のしきい値数を減少させるための手段とをさらに備える、Ｃ１７に記載の装置。
［Ｃ１９］プロセッサと、前記プロセッサと電子通信しているメモリと、前記メモリに記憶された命令とを備える、ワイヤレス通信のための装置であって、前記命令は、複数の非同期事業者によって共有される第１の無線周波数スペクトル帯域内で１つまたは複数の送信期間について競合するために１つまたは複数のクリアチャネルアセスメント（ＣＣＡ）手順を実施することと、前記第１の無線周波数スペクトル帯域内で前記１つまたは複数の送信期間についての競合に勝ったことを識別することと、競合に勝った前記１つまたは複数の送信期間が、しきい値数の連続する送信期間に等しいかまたはそれよりも大きいかどうかを決定することと、競合に勝った前記１つまたは複数の送信期間が、しきい値数の連続する送信期間に等しいかまたはそれよりも大きいかどうかの前記決定に基づいて、ある時間期間の間、前記第１の無線周波数スペクトル帯域の占有を放棄することとを前記装置に行わせるように前記プロセッサによって実行可能である、装置。
［Ｃ２０］前記命令は、しきい値数の非同期事業者が前記送信期間のうちの１つまたは複数中に前記第１の無線周波数スペクトル帯域について競合しているかどうかを決定することを前記プロセッサに行わせるように前記プロセッサによってさらに実行可能であり、前記第１の無線周波数スペクトル帯域の占有を放棄する前記時間期間は、しきい値数の非同期事業者が前記第１の無線周波数スペクトル帯域について競合しているという前記決定に少なくとも部分的に基づく、Ｃ１９に記載の装置。
［Ｃ２１］前記命令は、前記しきい値よりも少ない数の非同期事業者が１つまたは複数の送信期間中に前記無線周波数スペクトル帯域について競合しているという前記決定に少なくとも部分的に基づいて、前記第１の無線周波数スペクトル帯域の占有の前記放棄を中止することを前記プロセッサに行わせるように前記プロセッサによってさらに実行可能である、Ｃ２０に記載の装置。
［Ｃ２２］前記命令は、前記第１の無線周波数スペクトル帯域の占有の前記放棄の前記時間期間中に他の非同期事業者からの１つまたは複数のＣＣＡ免除送信（ＣＥＴ）信号について監視することを前記プロセッサに行わせるように前記プロセッサによってさらに実行可能である、Ｃ２０に記載の装置。
［Ｃ２３］前記命令は、１つまたは複数の非同期事業者から前記１つまたは複数のＣＥＴ信号を受信することと、送信を停止することより前に前記連続する送信期間のしきい値数を調整することとを前記プロセッサに行わせるように前記プロセッサによってさらに実行可能である、Ｃ２２に記載の装置。
［Ｃ２４］前記命令は、前記１つまたは複数の非同期事業者からの前記１つまたは複数のＣＥＴ信号について監視することと、前記１つまたは複数のＣＥＴ信号からの識別された情報を報告することとを行うようにユーザ機器を構成することを前記プロセッサに行わせるように前記プロセッサによってさらに実行可能である、Ｃ２２に記載の装置。
［Ｃ２５］前記連続する送信期間のしきい値数が、送信期間中に前記第１の無線周波数スペクトル帯域について競合するためにＣＣＡ手順を実施している非同期事業者の数、または前記複数の非同期事業者のうちの１つにおけるデータバックログの量のうちの１つまたは複数に基づいて決定される、Ｃ１９に記載の装置。
［Ｃ２６］前記命令は、前記複数の非同期事業者のうちの１つからの送信について前記第１の無線周波数スペクトル帯域の占有の放棄の前記時間期間中に前記第１の無線周波数スペクトル帯域を監視することと、前記複数の非同期事業者のうちの１つからの送信がない場合、前記連続する送信期間のしきい値数を増加させることと、前記複数の非同期事業者のうちの１つからの送信が検出されたとき、前記連続する送信期間のしきい値数を減少させることとを前記プロセッサに行わせるように前記プロセッサによってさらに実行可能である、Ｃ２５に記載の装置。
［Ｃ２７］前記命令は、前記第１の無線周波数スペクトル帯域の占有の前記放棄の前記時間期間中に第２の無線周波数スペクトル帯域を占有することを前記プロセッサに行わせるように前記プロセッサによってさらに実行可能である、Ｃ１９に記載の装置。
［Ｃ２８］ワイヤレス通信のためのコンピュータプログラム製品であって、複数の非同期事業者によって共有される無線周波数スペクトル帯域内で１つまたは複数の送信期間について競合するために１つまたは複数のクリアチャネルアセスメント（ＣＣＡ）手順を実施することと、前記無線周波数スペクトル帯域内で前記１つまたは複数の送信期間についての競合に勝ったことを識別することと、競合に勝った前記１つまたは複数の送信期間が、しきい値数の連続する送信期間に等しいかまたはそれよりも大きいかどうかを決定することと、競合に勝った前記１つまたは複数の送信期間が、しきい値数の連続する送信期間に等しいかまたはそれよりも大きいかどうかの前記決定に基づいて、ある時間期間の間、前記無線周波数スペクトル帯域の占有を放棄することとをワイヤレス通信装置に行わせるようにプロセッサによって実行可能な命令を記憶した非一時的コンピュータ可読媒体を備える、コンピュータプログラム製品。
［Ｃ２９］前記命令は、しきい値数の非同期事業者が前記送信期間のうちの１つまたは複数中に前記無線周波数スペクトル帯域について競合しているかどうかを決定することを前記装置に行わせるように前記プロセッサによってさらに実行可能であり、前記無線周波数スペクトル帯域の占有を放棄する前記時間期間は、しきい値数の非同期事業者が前記無線周波数スペクトル帯域について競合しているという前記決定に少なくとも部分的に基づく、Ｃ２８に記載のコンピュータプログラム製品。
［Ｃ３０］前記連続する送信期間のしきい値数が、送信期間中に前記無線周波数スペクトル帯域について競合するためにＣＣＡ手順を実施している非同期事業者の数、または前記複数の非同期事業者のうちの１つにおけるデータバックログの量のうちの１つまたは複数に基づいて決定される、Ｃ２８に記載のコンピュータプログラム製品。
【図１】
0006483104.tif 000006
【図２】
0006483104.tif 000007
【図３】
0006483104.tif 000008
【図４Ａ】
0006483104.tif 000009
【図４Ｂ】
0006483104.tif 000010
【図５】
0006483104.tif 000011
【図６】
0006483104.tif 000012
【図７】
0006483104.tif 000013
【図８】
0006483104.tif 000014
【図９】
0006483104.tif 000015
【図１０】
0006483104.tif 000016
【図１１】
0006483104.tif 000017
【図１２Ａ】
0006483104.tif 000018
【図１２Ｂ】
0006483104.tif 000019
【図１３】
0006483104.tif 000020
【図１４】
0006483104.tif 000021
【図１５】
0006483104.tif 000022
【図１６】
0006483104.tif 000023
【図１７】
0006483104.tif 000024
【図１８】
0006483104.tif 000025
【図１９】
0006483104.tif 000026